(57)【要約】【課題】  ２以上の成分の薬剤を混合する前に、薬剤の排出を防止する医療用容器を提供する。【解決手段】  本発明の医療用容器１は、複数の薬剤室３と、複数の薬剤室３，４を仕切るための剥離可能な仕切用シール部５を有する軟質バッグ２と、複数の薬剤室３，４のうちの一つの薬剤室３に接続された排出用ポート６と、複数の薬剤室３，４内に収納された異なる薬剤１１，１２とを備える医療用容器１であって、排出用ポート６は、中空部６ｃと、薬剤室３からの中空部６ｃへの薬剤１１の流通を規制する流通規制部９を有し、さらに、医療用容器１は、排出用ポート６が接続されていない薬剤室４内に収納され、流通規制部９の薬剤流通を可能とするための連通用部材１０を備える。【選択図】  図８
2005245960.tif 000002
【特許請求の範囲】
【請求項１】
複数の薬剤室と該複数の薬剤室を仕切るための剥離可能な仕切用シール部とを有するとともに軟質樹脂製シートにより形成された軟質バッグと、前記複数の薬剤室のうちの一つの薬剤室に接続された排出用ポートと、前記複数の薬剤室内に収納された異なる薬剤とを備える医療用容器であって、前記排出用ポートは、該排出用ポート内に形成された中空部と、前記薬剤室からの該中空部への薬剤の流通を規制する流通規制部を有し、さらに、前記医療用容器は、前記排出用ポートが接続されていない前記薬剤室内に収納され、前記流通規制部の薬剤流通を可能とするための連通用部材を備えることを特徴とする医療用容器。
【請求項２】
複数の薬剤室と該複数の薬剤室を仕切るための剥離可能な仕切用シール部とを有するとともに軟質樹脂製シートにより形成された軟質バッグと、前記複数の薬剤室のうちの一つの薬剤室に接続された排出用ポートと、前記複数の薬剤室に収納された異なる薬剤とを備える医療用容器であって、前記排出用ポートは、該排出用ポート内に形成された中空部と、前記薬剤室からの該中空部への薬剤の流通を規制する流通規制部を有し、さらに、前記医療用容器は、前記仕切用シール部に保持されるとともに該仕切用シール部の剥離により該シール部より離脱することにより使用可能となり、前記流通規制部の薬剤流通を可能とする連通用部材を備えることを特徴とする医療用容器。
【請求項３】
前記連通用部材は、一端側に前記流通規制部を開通するための連通部を有し、他端側が前記仕切用シール部に保持されており、さらに、前記連通部を前記流通規制部へ誘導する誘導部を有するものである請求項２に記載の医療用容器。  
【請求項４】
薬剤室を有するとともに軟質樹脂製シートにより形成された軟質バッグと、該軟質バッグに取り付けられた排出用ポートと、該軟質バッグに取り付けられた薬剤容器と、前記薬剤室と前記薬剤容器に収納された異なる薬剤とを備える医療用容器であって、前記排出用ポートは、該排出用ポート内に形成された中空部と、前記薬剤室からの該中空部への薬剤の流通を規制する流通規制部を有し、該薬剤容器は、前記流通規制部の薬剤流通を可能とする連通用部材を備えており、かつ、該連通用部材は前記薬剤容器と前記薬剤室との連通を規制するとともに薬剤容器本体部から分離可能となっていることを特徴とする医療用容器。
【請求項５】
前記薬剤室は剥離可能な仕切用シール部により複数の薬剤室に仕切られ、前記薬剤容器は、前記排出用ポートが取り付けられていない薬剤室に取り付けられ、前記複数の薬剤室には、異なる薬剤が収納されている請求項４に記載の医療用容器。
【請求項６】
前記医療用容器は、２つの薬剤室を有し、一方の薬剤室には前記排出用ポートが接続され、他方の薬剤室内に前記連通用部材が収納されているもしくは前記仕切用シール部に前記連通用部材が保持されている請求項１ないし３のいずれかに記載の医療用容器。
【請求項７】
前記流通規制部は、前記排出用ポートの前記中空部を横切るように設けられた破断可能な膜部もしくは破断可能な薄板部であり、前記連通用部材は、前記膜部もしくは前記薄板部を破断するための部材である請求項１ないし６のいずれかに記載の医療用容器。
【請求項８】
前記流通規制部は、前記薬剤室内からの前記中空部への薬剤の流通を規制するための弁機構であり、前記連通用部材は、前記弁機構に挿通もしくは弁機構の間に挟まれることにより弁を開通するための部材である請求項１ないし６のいずれかに記載の医療用容器。
【請求項９】
前記弁機構は、前記中空部を横切るように重なり合う複数の扇形状の弁体により構成され、前記連通用部材は、前記弁体に挿通可能なものである請求項８に記載の医療用容器。
【請求項１０】
前記弁機構は、ボール状の弁と、該弁を支持する支持部からなり、前記連通用部材は、前記ボール状の弁を前記支持部からずらして連通状態とすることができる部材である請求項８に記載の医療用容器。
【請求項１１】
前記弁機構は、前記排出用ポートの前記中空部の開口の周囲に配置され該開口を覆うように互いに接触する２枚のフィルムにより構成され、前記連通用部材は、該２枚のフィルムを離間させる部材である請求項８に記載の医療用容器。
【請求項１２】
複数の薬剤室と該複数の薬剤室を仕切るための剥離可能な仕切用シール部と前記薬剤室と隣接する空間とを有すとともに軟質樹脂製シートにより形成された軟質バッグと、前記複数の薬剤室に充填された異なる薬剤と、前記空間に取り付けられた排出用ポートとを備える医療用容器であって、前記軟質バッグは、前記空間と該空間と隣接する薬剤室との間に配置され、前記薬剤室から前記空間への薬剤の流通を規制するための流通規制部を備え、さらに、前記医療用容器は、前記空間と隣接しない前記薬剤室内に収納され、前記流通規制部の薬剤流通を可能とするための連通用部材を備えることを特徴とする医療用容器。
【請求項１３】
複数の薬剤室と該複数の薬剤室を仕切るための剥離可能な仕切用シール部と前記薬剤室と隣接する空間とを有すとともに軟質樹脂製シートにより形成された軟質バッグと、前記複数の薬剤室に充填された異なる薬剤と、前記空間に取り付けられた排出用ポートとを備える医療用容器であって、前記軟質バッグは、前記空間と該空間に隣接する薬剤室との間に配置され、前記薬剤室から前記空間への薬剤の流通を規制するための流通規制部を備え、さらに、前記医療用容器は、前記仕切用シール部に保持されるとともに該仕切用シール部の剥離により該シール部より離脱することにより使用可能となり、前記流通規制部の薬剤流通を可能とする連通用部材を備えることを特徴とする医療用容器。
【請求項１４】
薬剤室と該薬剤室と隣接する空間を有するとともに軟質樹脂製シートにより形成された軟質バッグと、該空間に取り付けられた排出用ポートと、前記薬剤室に取り付けられた薬剤容器と、前記薬剤室と前記薬剤容器に収納された異なる薬剤とを備える医療用容器であって、前記軟質バッグは、前記空間と該空間に隣接する薬剤室との間に配置され、前記薬剤室から前記空間への薬剤の流通を規制するための流通規制部を備え、該薬剤容器は、前記流通規制部の薬剤流通を可能とする連通用部材を備えており、かつ、該連通用部材は前記薬剤容器と前記薬剤室との連通を規制するとともに薬剤容器本体部から分離可能となっていることを特徴とする医療用容器。
【請求項１５】
前記薬剤室は剥離可能な仕切用シール部により複数の薬剤室に仕切られ、前記薬剤容器は、前記空間と隣接していない薬剤室に取り付けられ、前記複数の薬剤室には、異なる薬剤が収納されている請求項１４に記載の医療用容器。
【請求項１６】
前記医療用容器は、２つの薬剤室を有し、一方の薬剤室は前記空間と隣接しており、他方の薬剤室内には前記連通用部材が収納されているもしくは前記仕切用シール部に前記連通用部材が保持されている請求項１２または１３に記載の医療用容器。
【請求項１７】
前記流通規制部は、前記薬剤室内から前記空間への流通を規制するための弁機構であり、前記連通用部材は、前記弁機構に挿通もしくは弁機構の間に挟まれることにより弁を開通するための部材である請求項１２ないし１６のいずれかに記載の医療用容器。
【請求項１８】
前記弁機構は、前記軟質バッグの内面に取り付けられ、液密に接触可能な２枚のフィルム形成部を有し、前記連通用部材は、前記２枚のフィルム形成部を離間させる部材である請求項１７に記載の医療用容器。
【請求項１９】
前記流通規制部は、前記空間と該空間に隣接する薬剤室とを仕切るシール部に直接もしくは間接的に取り付けられている請求項１２ないし１６のいずれかに記載の医療用容器。
【請求項２０】
前記流通規制部は、前記空間と該空間に隣接する薬剤室とを仕切るシール部に取り付けられた筒状部もしくは環状部の内孔を横切るように設けられた破断可能な膜部もしくは破断可能な薄板部であり、前記連通用部材は、前記膜部もしくは前記薄板部を破断するための部材である請求項１２ないし１６のいずれかに記載の医療用容器。
【請求項２１】
前記連通用部材は、破断可能な脆弱部を介して前記薬剤容器本体部の先端側に設けられている請求項４，５，１４または１５のいずれかに記載の医療用容器。
【請求項２２】
前記膜部は、多孔質膜である請求項７または２０に記載の医療用容器。
【請求項２３】
前記流通規制部は、加熱滅菌時において、前記薬剤室から前記中空部内もしくは前記空間への蒸気の流通を許容するものである請求項１ないし２２のいずれかに記載の医療用容器。
【請求項２４】
前記連通用部材は、前記流通規制部に挿通もしくは間に挟まれたときに、前記薬剤室内の薬液を排出用ポートもしくは前記空間に流入するための薬剤誘導路を有している請求項１ないし２３のいずれかに記載の医療用容器。
【発明の詳細な説明】
【技術分野】
【０００１】
本発明は、２成分以上の薬剤を内部で予め混合してから投与するための複室医療用容器に関する。
【背景技術】
【０００２】
例えば、アミノ酸を含む輸液とブドウ糖を含む輸液との組合せや、抗生物質とその溶解液との組合せ、あるいは投与溶液のｐＨを中性付近にするためにブドウ糖溶液と重炭酸ナトリウムや水酸化ナトリウムを配合したアルカリ溶液の組み合わせ、ビタミンとブドウ糖と電解質とアミノ酸を組み合わせた輸液等は、それらを混合した状態で滅菌・保管すると投与するまでに変質するおそれがある。そこで、このように成分の異なった薬液を一の容器内で分離して収容し、薬剤投与時に混合可能な複室容器が用いられている。このような複室容器としては、例えば、容器に剥離可能な弱シール部を設け、複数の薬剤室を形成したものがある。
しかしながら、複室容器を使用する場合、医療従事者が多忙であるために弱シール部を開封し忘れたまま混合前の一成分のみを投与してしまうおそれがある。このような複室容器は、閉鎖系にすることにより無菌性を保証し、簡容な操作で各薬剤室を連通させることを特徴としているため、薬剤を混合する前でも混合前の成分を排出容易なものが多く、混合前の薬剤投与を防止するものではなかった。
【０００３】
上記問題点を解決するため、特開２００３−１５９３１０号（特許文献１）には、複数の収納部１０，１１と、複数の収納部を仕切る仕切用弱シール部２０と、収納部に接続された薬剤排出口３２と、薬剤排出口３２の周囲に形成された排出用弱シール部２１を有する医療用複室容器が開示されている（特許文献１）。この複室容器は、複数の収納部を仕切るシール部２０の他に排出用口３２付近に別のシール部２１を設けることにより、各収納部に収納されている薬剤を混合した後に患者に投与することを目的としている。
また、特開２００２−１３６５７０号公報（特許文献２）には、複数の収納部１０，１１と、複数の収納部を仕切る封止用弱シール部２０と、収納部に接続された薬剤排出口３２と、薬剤排出口３２の周囲に形成された排出用弱シール部２１を有する医療用複室容器が開示されている。この容器も、上述した容器と同様に、複数の収納部を仕切るシール部２０の他に排出用口３２付近に別のシール部２１を設けることにより、各収納部に収納されている薬剤を混合した後に患者に投与することを目的としている。
しかしながら、これらの容器であっても、各収納部１０，１１内の薬剤を混合する前に、薬剤排出用口３２の周囲に設けられたシール部２１が剥離され薬剤の単独投与が行われるおそれがある。
【特許文献１】特開２００３−１５９３１０号公報
【特許文献２】特開２００２−１３６５７０号公報
【発明の開示】
【発明が解決しようとする課題】
【０００４】
そこで、本発明は、上記問題点を解決するものであり、２以上の成分の薬剤を混合する前に、薬剤の排出を防止する医療用容器を提供するものである。
【課題を解決するための手段】
【０００５】
上記目的を達成するものは以下の通りである。
（１）  複数の薬剤室と該複数の薬剤室を仕切るための剥離可能な仕切用シール部とを有するとともに軟質樹脂製シートにより形成された軟質バッグと、前記複数の薬剤室のうちの一つの薬剤室に接続された排出用ポートと、前記複数の薬剤室内に収納された異なる薬剤を備える医療用容器であって、前記排出用ポートは、該排出用ポート内に形成された中空部と、前記薬剤室からの該中空部への薬剤の流通を規制する流通規制部を有し、さらに、前記医療用容器は、前記排出用ポートが接続されていない前記薬剤室内に収納され、前記流通規制部の薬剤流通を可能とするための連通用部材を備えることを特徴とする医療用容器。
また、上記目的を達成するものは以下の通りである。
（２）  複数の薬剤室と該複数の薬剤室を仕切るための剥離可能な仕切用シール部とを有するとともに軟質樹脂製シートにより形成された軟質バッグと、前記複数の薬剤室のうちの一つの薬剤室に接続された排出用ポートと、前記複数の薬剤室に収納された異なる薬剤を備える医療用容器であって、前記排出用ポートは、該排出用ポート内に形成された中空部と、前記薬剤室からの該中空部への薬剤の流通を規制する流通規制部を有し、さらに、前記医療用容器は、前記仕切用シール部に保持されるとともに該仕切用シール部の剥離により該シール部より離脱することにより使用可能となり、前記流通規制部の薬剤流通を可能とする連通用部材を備えることを特徴とする医療用容器。
（３）  前記連通用部材は、一端側に前記流通規制部を開通するための連通部を有し、他端側が前記仕切用シール部に保持されており、さらに、前記連通部を前記流通規制部へ誘導する誘導部を有するものである上記（２）に記載の医療用容器。
【０００６】
また、上記目的を達成するものは以下の通りである。
（４）  薬剤室を有するとともに軟質樹脂製シートにより形成された軟質バッグと、該軟質バッグに取り付けられた排出用ポートと、該軟質バッグに取り付けられた薬剤容器と、前記薬剤室と前記薬剤容器に収納された異なる薬剤とを備える医療用容器であって、前記排出用ポートは、該排出用ポート内に形成された中空部と、前記薬剤室からの該中空部への薬剤の流通を規制する流通規制部を有し、該薬剤容器は、前記流通規制部の薬剤流通を可能とする連通用部材を備えており、かつ、該連通用部材は前記薬剤容器と前記薬剤室との連通を規制するとともに薬剤容器本体部から分離可能となっていることを特徴とする医療用容器。
（５）  前記薬剤室は剥離可能な仕切用シール部により複数の薬剤室に仕切られ、前記薬剤容器は、前記排出用ポートが取り付けられていない薬剤室に取り付けられ、前記複数の薬剤室には、異なる薬剤が収納されている上記（４）に記載の医療用容器。
（６）  前記医療用容器は、２つの薬剤室を有し、一方の薬剤室には前記排出用ポートが接続され、他方の薬剤室内に前記連通用部材が収納されているもしくは前記仕切用シール部に前記連通用部材が保持されている上記（１）ないし（３）のいずれかに記載の医療用容器。
（７）  前記流通規制部は、前記排出用ポートの前記中空部を横切るように設けられた破断可能な膜部もしくは破断可能な薄板部であり、前記連通用部材は、前記膜部もしくは前記薄板部を破断するための部材である上記（１）ないし（６）のいずれかに記載の医療用容器。
（８）  前記流通規制部は、前記薬剤室内からの前記中空部への薬剤の流通を規制するための弁機構であり、前記連通用部材は、前記弁機構に挿通もしくは弁機構の間に挟まれることにより弁を開通するための部材である上記（１）ないし（６）のいずれかに記載の医療用容器。
【０００７】
（９）  前記弁機構は、前記中空部を横切るように重なり合う複数の扇形状の弁体により構成され、前記連通用部材は、前記弁体に挿通可能なものである上記（８）に記載の医療用容器。
（１０）  前記弁機構は、ボール状の弁と、該弁を支持する支持部からなり、前記連通用部材は、前記ボール状の弁を前記支持部からずらして連通状態とすることができる部材である上記（８）に記載の医療用容器。
（１１）  前記弁機構は、前記排出用ポートの前記中空部の開口の周囲に配置され該開口を覆うように互いに接触する２枚のフィルムにより構成され、前記連通用部材は、該２枚のフィルムを離間させる部材である上記（８）に記載の医療用容器。
また、上記目的を達成するものは以下の通りである。
（１２）  複数の薬剤室と該複数の薬剤室を仕切るための剥離可能な仕切用シール部と前記薬剤室と隣接する空間とを有すとともに軟質樹脂製シートにより形成された軟質バッグと、前記複数の薬剤室に充填された異なる薬剤と、前記空間に取り付けられた排出用ポートとを備える医療用容器であって、前記軟質バッグは、前記空間と該空間と隣接する薬剤室との間に配置され、前記薬剤室から前記空間への薬剤の流通を規制するための流通規制部を備え、さらに、前記医療用容器は、前記空間と隣接しない前記薬剤室内に収納され、前記流通規制部の薬剤流通を可能とするための連通用部材を備えることを特徴とする医療用容器。
上記目的を達成するものは以下の通りである。
（１３）  複数の薬剤室と該複数の薬剤室を仕切るための剥離可能な仕切用シール部と前記薬剤室と隣接する空間とを有すとともに軟質樹脂製シートにより形成された軟質バッグと、前記複数の薬剤室に充填された異なる薬剤と、前記空間に取り付けられた排出用ポートとを備える医療用容器であって、前記軟質バッグは、前記空間と該空間に隣接する薬剤室との間に配置され、前記薬剤室から前記空間への薬剤の流通を規制するための流通規制部を備え、さらに、前記医療用容器は、前記仕切用シール部に保持されるとともに該仕切用シール部の剥離により該シール部より離脱することにより使用可能となり、前記流通規制部の薬剤流通を可能とする連通用部材を備えることを特徴とする医療用容器。
上記目的を達成するものは以下の通りである。
【０００８】
（１４）  薬剤室と該薬剤室と隣接する空間を有するとともに軟質樹脂製シートにより形成された軟質バッグと、該空間に取り付けられた排出用ポートと、前記薬剤室に取り付けられた薬剤容器と、前記薬剤室と前記薬剤容器に収納された異なる薬剤とを備える医療用容器であって、前記軟質バッグは、前記空間と該空間に隣接する薬剤室との間に配置され、前記薬剤室から前記空間への薬剤の流通を規制するための流通規制部を備え、該薬剤容器は、前記流通規制部の薬剤流通を可能とする連通用部材を備えており、かつ、該連通用部材は前記薬剤容器と前記薬剤室との連通を規制するとともに薬剤容器本体部から分離可能となっていることを特徴とする医療用容器。
（１５）  前記薬剤室は剥離可能な仕切用シール部により複数の薬剤室に仕切られ、前記薬剤容器は、前記空間と隣接していない薬剤室に取り付けられ、前記複数の薬剤室には、異なる薬剤が収納されている上記（１４）に記載の医療用容器。
（１６）  前記医療用容器は、２つの薬剤室を有し、一方の薬剤室は前記空間と隣接しており、他方の薬剤室内には前記連通用部材が収納されているもしくは前記仕切用シール部に前記連通用部材が保持されている上記（１２）または（１３）に記載の医療用容器。
（１７）  前記流通規制部は、前記薬剤室内から前記空間への流通を規制するための弁機構であり、前記連通用部材は、前記弁機構に挿通もしくは弁機構の間に挟まれることにより弁を開通するための部材である上記（１２）ないし（１６）のいずれかに記載の医療用容器。
（１８）  前記弁機構は、前記軟質バッグの内面に取り付けられ、液密に接触可能な２枚のフィルム形成部を有し、前記連通用部材は、前記２枚のフィルム形成部を離間させる部材である上記（１７）に記載の医療用容器。
（１９）  前記流通規制部は、前記空間と該空間に隣接する薬剤室とを仕切るシール部に直接もしくは間接的に取り付けられている上記（１２）ないし（１６）のいずれかに記載の医療用容器。
【０００９】
（２０）  前記流通規制部は、前記空間と該空間に隣接する薬剤室とを仕切るシール部に取り付けられた筒状部もしくは環状部の内孔を横切るように設けられた破断可能な膜部もしくは破断可能な薄板部であり、前記連通用部材は、前記膜部もしくは前記薄板部を破断するための部材である上記（１２）ないし（１６）のいずれかに記載の医療用容器。
（２１）  前記連通用部材は、破断可能な脆弱部を介して前記薬剤容器本体部の先端側に設けられている上記（４），（５），（１４）または（１５）のいずれかに記載の医療用容器。
（２２）  前記膜部は、多孔質膜である上記（７）または（２０）に記載の医療用容器。
（２３）  前記流通規制部は、加熱滅菌時において、前記薬剤室から前記中空部内もしくは前記空間への蒸気の流通を許容するものである上記（１）ないし（２２）のいずれかに記載の医療用容器。
（２４）  前記連通用部材は、前記流通規制部に挿通もしくは間に挟まれたときに、前記薬剤室内の薬液を排出用ポートもしくは前記空間に流入するための薬剤誘導路を有している上記（１）ないし（２３）のいずれかに記載の医療用容器。
【発明の効果】
【００１０】
本発明は、複数の薬剤室と該複数の薬剤室を仕切るための剥離可能な仕切用シール部とを有するとともに軟質樹脂製シートにより形成された軟質バッグと、前記複数の薬剤室のうちの一つの薬剤室に接続された排出用ポートと、前記複数の薬剤室内に収納された異なる薬剤とを備える医療用容器であって、前記排出用ポートは、該排出用ポート内に形成された中空部と、前記薬剤室からの該中空部への薬剤の流通を規制する流通規制部を有し、さらに、前記医療用容器は、前記排出用ポートが接続されていない前記薬剤室内に収納され、前記流通規制部の薬剤流通を可能とするための連通用部材を備える。
このため、本発明の医療用容器では、仕切用シール部を剥離した後でなければ、連通用部材による流通規制部の開通が行えない。つまり、仕切用シール部を剥離し異なる薬剤が混合された後でなければ、薬剤の排出ができないため、２以上の成分の薬剤を混合する前に、薬剤が排出されることを防止する。
【００１１】
本発明は、複数の薬剤室と該複数の薬剤室を仕切るための剥離可能な仕切用シール部とを有するとともに軟質樹脂製シートにより形成された軟質バッグと、前記複数の薬剤室のうちの一つの薬剤室に接続された排出用ポートと、前記複数の薬剤室に収納された異なる薬剤とを備える医療用容器であって、前記排出用ポートは、該排出用ポート内に形成された中空部と、前記薬剤室からの該中空部への薬剤の流通を規制する流通規制部を有し、さらに、前記医療用容器は、前記仕切用シール部に保持されるとともに該仕切用シール部の剥離により該シール部より離脱することにより使用可能となり、前記流通規制部の薬剤流通を可能とする連通用部材を備える。
このため、本発明の医療用容器では、仕切用シール部を剥離した後でなければ、連通用部材による流通規制部の開通が行えない。つまり、仕切用シール部を剥離し異なる薬剤が混合された後でなければ、薬剤の排出ができないため、２以上の成分の薬剤を混合する前に、薬剤が排出されることを防止する。
【００１２】
本発明は、薬剤室を有するとともに軟質樹脂製シートにより形成された軟質バッグと、該軟質バッグに取り付けられた排出用ポートと、該軟質バッグに取り付けられた薬剤容器と、前記薬剤室と前記薬剤容器に収納された異なる薬剤とを備える医療用容器であって、前記排出用ポートは、該排出用ポート内に形成された中空部と、前記薬剤室からの該中空部への薬剤の流通を規制する流通規制部を有し、該薬剤容器は、前記流通規制部の薬剤流通を可能とする連通用部材を備えており、かつ、該連通用部材は前記薬剤容器と前記薬剤室との連通を規制するとともに薬剤容器本体部から分離可能となっている。
このため、本発明の医療用容器では、仕切用シール部を剥離した後でなければ、連通用部材による流通規制部の開通が行えない。つまり、仕切用シール部を剥離し異なる薬剤が混合された後でなければ、薬剤の排出ができないため、２以上の成分の薬剤を混合する前に、薬剤が排出されることを防止する。
【００１３】
本発明は、複数の薬剤室と該複数の薬剤室を仕切るための剥離可能な仕切用シール部と前記薬剤室と隣接する空間とを有すとともに軟質樹脂製シートにより形成された軟質バッグと、前記複数の薬剤室に充填された異なる薬剤と、前記空間に取り付けられた排出用ポートとを備える医療用容器であって、前記軟質バッグは、前記空間と該空間と隣接する薬剤室との間に配置され、前記薬剤室から前記空間への薬剤の流通を規制するための流通規制部を備え、さらに、前記医療用容器は、前記空間と隣接しない前記薬剤室内に収納され、前記流通規制部の薬剤流通を可能とするための連通用部材を備える。
このため、本発明の医療用容器では、仕切用シール部を剥離した後でなければ、連通用部材による流通規制部の開通が行えない。つまり、仕切用シール部を剥離し異なる薬剤が混合された後でなければ、薬剤の排出ができないため、２以上の成分の薬剤を混合する前に、薬剤が排出されることを防止する。
【００１４】
本発明は、軟質樹脂製シートにより構成され、複数の薬剤室と、該複数の薬剤室を仕切るための剥離可能な仕切用シール部と、前記薬剤室と隣接する空間を有する軟質バッグと、前記複数の薬剤室に充填された異なる薬剤と、前記空間に取り付けられた排出用ポートとを備える医療用容器であって、前記軟質バッグは、前記空間と該空間に隣接する薬剤室との間に配置され、前記薬剤室から前記空間への薬剤の流通を規制するための流通規制部を備え、さらに、前記医療用容器は、前記仕切用シール部に保持されるとともに該仕切用シール部の剥離により該シール部より離脱することにより使用可能となり、前記流通規制部の薬剤流通を可能とする連通用部材を備える。
このため、本発明の医療用容器では、仕切用シール部を剥離した後でなければ、連通用部材による流通規制部の開通が行えない。つまり、仕切用シール部を剥離し異なる薬剤が混合された後でなければ、薬剤の排出ができないため、２以上の成分の薬剤を混合する前に、薬剤が排出されることを防止する。
【００１５】
本発明は、薬剤室と該薬剤室と隣接する空間を有するとともに軟質樹脂製シートにより形成された軟質バッグと、該空間に取り付けられた排出用ポートと、前記薬剤室に取り付けられた薬剤容器と、前記薬剤室と前記薬剤容器に収納された異なる薬剤とを備える医療用容器であって、前記軟質バッグは、前記空間と該空間に隣接する薬剤室との間に配置され、前記薬剤室から前記空間への薬剤の流通を規制するための流通規制部を備え、該薬剤容器は、前記流通規制部の薬剤流通を可能とする連通用部材を備えており、かつ、該連通用部材は前記薬剤容器と前記薬剤室との連通を規制するとともに薬剤容器本体部から分離可能となっている。
このため、本発明の医療用容器では、仕切用シール部を剥離した後でなければ、連通用部材による流通規制部の開通が行えない。つまり、仕切用シール部を剥離し異なる薬剤が混合された後でなければ、薬剤の排出ができないため、２以上の成分の薬剤を混合する前に、薬剤が排出されることを防止する。
【発明を実施するための最良の形態】
【００１６】
本発明の輸液用容器を図面に示した実施例を用いて説明する。図１は、本発明の一実施例である医療用容器の正面図であり、図２は、図１に示す医療用容器を構成する排出用ポートの断面図であり、図３は、図１に示す医療用容器を構成する排出用ポートの上面図、図４は、図１に示す医療用容器を構成する連通用部材の拡大図、図５は、図４に示す連通用部材の上面図、図８は、本発明の一実施例である医療用容器の使用方法を説明するための説明図である。
本発明の医療用容器１は、複数の薬剤室３，４と複数の薬剤室３，４を仕切るための剥離可能な仕切用シール部５とを有するとともに軟質樹脂製シートにより形成された軟質バッグ２と、複数の薬剤室３，４のうちの一つの薬剤室３に接続された排出用ポート６と、複数の薬剤室３，４内に収納された異なる薬剤１１，１２を備える医療用容器１であって、排出用ポート６は、排出用ポート６内に形成された中空部６ｃと、薬剤室３からの中空部６ｃへの薬剤１１の流通を規制する流通規制部９を有し、さらに、医療用容器１は、排出用ポート６が接続されていない薬剤室４内に収納され、流通規制部９の薬剤流通を可能とするための連通用部材１０を備える。
【００１７】
本発明の実施例の医療用容器１は、２つの薬剤室３，４を有し、一方の薬剤室３には排出用ポート６が接続され、他方の薬剤室４内には連通用部材１０が収納されている。  
本発明の医療用容器１の複数の薬剤室３，４には、異なった成分の薬剤１１，１２が収容されている。
医療用容器１は、図１に示すように、第１の薬剤室３と第２の薬剤室４を有し、仕切用シール部５を有する軟質バッグ２と、第１の薬剤室３に接続された排出用ポート６と、排出用ポート６が接続されていない薬剤室４内に収納された連通用部材１０と、第１の薬剤室３に収納された薬剤１１と、第２の薬剤室４に収納された薬剤１２を有している。
軟質バッグ２は、軟質樹脂製シートにより構成され、図１に示す実施例では、中央付近に水平に仕切用シール部５を形成することにより、軟質バッグ２が区分けされ、第１の薬剤室３と第２の薬剤室４が形成されている。また、軟質バッグ２の全周にはシール部が設けられている。そして、軟質バッグ２の一端部及び他端部には、側部に設けられたシール部より幅広のシール部１４，１５が設けられている。そして、本発明の実施例において、仕切用シール部５の両端部は、軟質バッグ２の側部に設けられたシール部と接合している。軟質バッグの側部に形成されたシール部のうち仕切用シール部５の両端部と接合する部分は他の部分より５〜３０ｍｍ程度幅広であることが好ましい。
【００１８】
仕切用シール部５は、剥離可能な弱シール部により形成されている。仕切用シール部は、手指で強く押したときに剥離して第１の薬剤室３と第２の薬剤室４が連通するものとなっている。仕切用シール部５の剥離強度としては、輸送中に軟質バッグ２に対して加えられる圧力では剥離せず、軟質バッグを手指で強く押したときに剥離する程度であることが好ましい。なお、この仕切用シール部で２つ折りにしたり、この部分をクリップなどで保護したりすることにより、剥離強度を弱めに設定することができる。仕切用シール部５は、軟質バッグ２のシール形成部分を融着することにより形成することが好ましい。融着としては、熱融着、高周波融着等であることが好ましい。軟質バッグ２はこのように、仕切用シール部５に区分された複数の薬剤室３，４を有しているため、異なる成分の複数の薬剤を無菌的に軟質バッグ２内にて混合することができる。なお、軟質バッグ２としては、上述したように２つの薬剤室を有しているものに限定されず、３つ以上の薬剤室を有しているものであってもよい。また、図１に示す実施例において仕切用シール部は、軟質バッグ２に対して水平に直線状に設けられているがこれに限定されるものではない。
【００１９】
軟質バッグ２は、軟質樹脂製シートにより構成されている。軟質樹脂製シートの製造に使用される合成樹脂としては、ある程度の耐熱性を有するものが好ましく、例えば、ポリオレフィン（例えば、ポリエチレン、ポリプロピレン、エチレン−プロピレンコポリマー、ポリプロピレンとポリエチレンもしくはポリブテンの混合物等、ポリオレフィンを含む混合物）、さらにはこれらの部分架橋物、エチレン−酢酸ビニル共重合体（ＥＶＡ）、ポリエステル（ポリエチレンテレフタレート、ポリブチレンテレフタレート）、軟質塩化ビニル樹脂、ポリ酢酸ビニル、ポリ塩化ビニリデン、シリコーン、ポリウレタン、ポリアミドエラストマー、ポリエステルエラストマー、スチレン・エチレン・ブチレン・スチレン共重合のようなスチレン系エラストマー等の各種熱可塑性エラストマーあるいはこれらを任意に組み合わせたもの（ブレンド樹脂、ポリマーアロイ、積層体等）により袋状に形成されたもの、さらに、ポリエチレンテレフタレート、ポリエチレンナフタレートのようなポリエステル、ナイロンのようなポリアミドといった硬質素材の樹脂層と上述した軟質素材（例えば、ポリエチレン）の樹脂層からなる多層構造シートが使用される。これらの軟質樹脂により成形されることにより、後述する軟質バッグ２の排出用ポート６が接続されていない第２の薬剤室４内に収納された連通用部材１０を用いて排出用ポート６を開通させる操作が容易となる。
【００２０】
好ましい軟質材料として、密度の異なる複数のポリエチレンの混合物あるいは多層化シートまたは、スチレン系エラストマーやオレフィン系エラストマーを配合して軟質化したポリプロピレン系樹脂組成物が挙げられる。これらは、オートクレーブ滅菌の高温に耐え得る耐熱性を有し、しかも柔軟性及び透明性に富むため取扱性に優れる。さらに、軟質バッグ２への成形、加工や薬剤容器の融着による固着が容易で製造コストの低減も図れるという利点がある。軟質バッグ２を構成するシート材の厚さは、特に限定されず、シートの構成材料によって異なるが、例えば上述のポリプロピレン系樹脂組成物の場合、２０〜５００μｍ程度であるのが好ましい。また、軟質バッグ２としては、引張弾性率で５００ＭＰａ以下、好ましくは５０〜３００ＭＰａの押出フィルムあるいはインフレーション成形したチューブを用いることが望ましい。
軟質バッグ２は、上記いずれかの樹脂を用いてブロー成形することにより作製したもの、上記樹脂により形成された２枚のシートの周縁部を溶着して形成したもの、上記樹脂により形成された１枚のシートを折り返すとともに周縁部を溶着して形成したもの、上記樹脂を用いて押し出し成形により筒状に形成したものの開口周縁を溶着することにより作製したものなどのいずれでもよい。
【００２１】
複数の薬剤室には、輸液剤（薬液）が収容されている。軟質バッグ２には、薬剤室毎に異なった成分のものが収容されていることが好ましい。このような輸液剤としては、例えば、腹膜透析液、経中心静脈輸液剤、経末梢静脈輸液剤、経末梢静脈用注射剤、液状栄養剤などのように２つ以上の液剤を輸液の際に混合する必要のあるものが好ましい。また、輸液剤としては、例えば生理食塩水、電解質溶液、リンゲル液、高カロリー輸液、ブドウ糖液、注射用水、アミノ酸電解質溶液等が挙げられるが、これに限定されるものではない。例えば、薬剤室の一方にブドウ糖電解質液、他方にアミノ酸液を収納し、更に両室にビタミンＢ１、ビタミンＢ２、ビタミンＢ６、ビタミンＣ、パンテノール、ニコチン酸アミドなどの水溶性ビタミンを安定性などを考慮して適宜振り分け収納することができる。この場合、後述する薬剤室に取り付ける薬剤容器にビタミンＡ、ビタミンＤ、ビタミンＥ、ビタミンＫなど脂溶性ビタミンを主とした液剤を収納することにより、ビタミン配合高カロリー総合輸液剤とすることができる。
【００２２】
また、軟質バッグ２の他端側のシール部１５には、ハンガー等に吊り下げるための孔（吊り下げ部）１７が設けられている。さらに、薬液の品質保持のために、軟質バッグ２に酸素バリア性や遮光性等を付与するためにアルミ箔等のフィルムを積層してもよい。また、酸素バリア性付与のために、軟質バッグ２の表面に酸化チタン、酸化アルミニウム、酸化ケイ素等の酸化物からなる蒸着膜等の薄膜を形成してもよい。あるいは、これらの薄膜を有する樹脂フィルムを中間層として設けてもよい。
排出用ポート６は、図１に示すように、軟質バッグ２の一端部の中央付近に取り付けられている。排出用ポート６は、排出用ポート６内に形成された中空部６ｃと、薬剤室３からの中空部６ｃへの薬剤１１の流通を規制する流通規制部９を有している。排出用ポート６は、図１に示すように、筒状部材であり、下端部に排出口６ｂが設けられ、上端部に流通規制部９が設けられ、内部に中空部６ｃが形成されている。
【００２３】
流通規制部９は、排出用ポート６の中空部６ｃを横切るように設けられた破断可能な膜部であり、連通用部材１０は、膜部を破断するための部材である。膜部は、輸送時等に加えられる圧力により破断しないものであり、かつ、排出用ポート６が接続されていない薬剤室４に収納された連通用部材１０により容易に破断可能なものである。膜部としては、ポリエチレン、ポリプロピレン等のポリオレフィン、ポリエーテルスルフォン、ポリテトラフルオロエチレン、ポリ酢酸セルロース等の濾過フィルターに用いられている合成樹脂、ナイロン等の親水性ポリエステル、ポリウレタン等により構成された合成樹脂フィルム、シート、アルミ等の金属箔、合成樹脂フィルムと金属箔との積層体であることが好ましく、特に好ましくは、ポリプロピレンである。また、流通規制部９は、加熱滅菌時において、薬剤室から中空部内への蒸気の流通を許容するものであることが好ましい。具体的に、膜部としては、多孔質膜であることが好ましい。膜部が多孔質膜であれば、医療用容器を加熱滅菌する際、加熱蒸気が多孔質膜を通過し排出用ポート６内を確実に滅菌することができる。多孔質膜である膜部は、合成樹脂を多孔質処理することにより形成されたものであることが好ましい。また、膜部としては硬質の多孔質膜であることが好ましい。膜部９は、熱融着、高周波融着、接着剤等により排出用ポート６の先端に接合されることが好ましい。また、膜部９は、排出用ポート６の先端から排出口側となる位置に接合されていてもよい。これにより、薬剤を混合する前に誤って膜部を破断することをより防止できる。本発明の実施例の膜部９は連通用部材１０のみにより開通できるものとなっているため、混合前に薬剤室３と排出用ポート６とが流通しないものとなっている。
【００２４】
排出用ポート６の排出口６ｂには排出用針（図示せず）にて挿通可能なシール材１８が配置されている。シール材１８は、弾性体により形成されていることが好ましい。シール材１８としては、排出用針を刺通可能なものである。また、シール材１８は、自己閉塞性を有し、針管を弾性体から抜き取った後は、その穿刺孔が閉塞し、薬液の漏れを防止するものであることが好ましい。シール材１８の構成材料としては、例えば、ポリエチレン、ポリプロピレン、エチレン−プロピレン共重合体、エチレン−酢酸ビニル共重合体、架橋型エチレン−酢酸ビニル共重合体等のポリオレフィン、ポリエステル、ポリ塩化ビニル、ポリウレタン、ポリアミドなどの可撓性高分子材料、ポリアミドエラストマー、ポリエステルエラストマー等の熱可塑性樹脂（熱可塑性エラストマー）、天然ゴム、イソプレンゴム、シリコーンゴム、ブタジエンゴム、スチレン−ブタジエンゴムのような各種ゴム材料等の弾性材料、あるいはこれらのうちの任意の２以上を組み合わせたものが挙げられ、シール性、再シール性の点からは弾性材料を含有しているものが好ましい。
【００２５】
また、排出用ポート内部に形成された中空部（排出路）６ｃの長さとしては、排出用針が排出口６ｂに挿通された状態で針が流通規制部９に接触しない程度の長さであることが好ましい。これにより、排出口６ｂ側からの流通規制部９の開通を防止できる。
また、排出用ポートは、排出口側からの流通規制部の破断を防止するための破断防止部を有していることが好ましい（図示せず）。破断防止部としては、流通規制部より排出口側に設けられていることが好ましい。破断防止部としては、排出用針が通過不可能であるとともに薬剤が通過可能な構成をしていることが好ましい。例えば、破断防止部としては、流通規制部より排出口側に形成された破断防止用の網目状部であることが好ましい。また、破断防止部は、流通規制部より排出口側に設けられた排出用針が通過できない小径部であってもよい。
【００２６】
排出用ポートに用いられる硬質材料としては、例えば、硬質ポリ塩化ビニル、ポリエチレン、ポリプロピレン、ポリブタジエン、環状ポリオレフィン（具体的には、ＺＥＯＮＥＸ（登録商標、日本ゼオン株式会社）、ＡＰＥＬ（登録商標、三井化学株式会社製））、ポリプロピレン、ポリプロピレンホモポリマー、高密度ポリエチレンのようなポリオレフィン、ポリスチレン、ポリ−（４−メチルペンテン−１）、ポリカーボネート、ＡＢＳ樹脂、アクリル樹脂、ポリメチルメタクリレート（ＰＭＭＡ）、ポリアセタール、ポリアリレート、ポリアクリロニトリル、ポリフッ化ビニリデン、アイオノマー、アクリロニトリル−ブタジエン−スチレン共重合体、ポリエチレンテレフタレート（ＰＥＴ）、ポリブチレンテレフタレート（ＰＢＴ）のようなポリエステル、ブタジエン−スチレン共重合体、芳香族または脂肪族ポリアミド等の各種樹脂、あるいはこれらを任意に組みあわせたものが挙げられる。
【００２７】
連通用部材１０は、図１に示すように、排出用ポート６が接続されていない第２の薬剤室４に収納されている。連通用部材１０は、仕切用シール部５の剥離後に使用可能となっている。このため、仕切用シール部５を剥離して連通用部材１０を第１の薬剤室３側に移動させないと流通規制部９を開通することができない。すなわち、第１の薬剤室３に収容された薬剤１１と第２の薬剤室４に収容された薬剤１２が混合される前には連通用部材１０を用いて流通規制部９の開通操作を行うことができないものとなっている。また、薬剤室が３室以上の場合、連通用部材は、排出用ポートが接続された薬剤室から最も多くの仕切用シール部を介した薬剤室に収納されていることが好ましい。これにより、２成分以上の薬剤を混合する前に薬剤を排出することを確実に防止できる。
【００２８】
連通用部材１０は、膜部９を破断可能であり、軟質バッグの内面を傷つけないような形状であることが好ましい。連通用部材１０は、図４，５に示すように、断面が十字状の棒状部材であり、担持部１０ａと、担持部１０ａより径の小さい挿通部１０ｂからなる。また、連通用部材１０は、流通規制部９に挿通もしくは間に挟まれたときに、薬剤室内の薬液を排出用ポートに流入するための薬剤誘導路１０ｃを有していることが好ましい。本発明の連通用部材１０では、図４、図５に示すように、十字の壁の間が薬剤誘導路１０ｃとなっている。これにより、連通用部材１０を流通規制部９に挿通した状態であっても十分量の薬液が排出される。薬剤誘導路としては、連通用部材に形成された溝部もしくは連通用部材内部に形成された薬剤誘導孔であってもよい。連通用部材には担持し易いように滑り止め部が設けられていてもよい。また、連通用部材１０の先端部は膜部を破断容易なように先端側に向かって縮径している。
【００２９】
また、連通用部材１８は、図６に示すように、断面が十字状の棒状部材であり、担持部１０ａと、担持部１０ａより径の小さい挿通部１０ｂと、挿通部１０ｂに取り付けられた重り部（もしくは抜け止め部）１０ｄからなるものであってもよい。挿通部に重り部が設けられていることにより、医療用容器の排出口側を下側に向けて連通操作を行う場合、連通用部材１０の挿通部１０ｂが下側を向くため連通用部材１０を流通規制部９に取り付けやすくなる。本発明の実施例では、重り部１０ｄは、連通用部材１０に取り付けられた金属製のリングである。重り部としては、挿通部の先端部に金属を埋め込むことにより作製してもよく、また、挿通部の先端部を金属粉末を混合した樹脂により作製したものであってもよい。
【００３０】
挿通用部材１０の構成材料としては、ポリエチレン、ポリプロピレン等のポリオレフィン、ポリエチレンテレフタレート等のポリエステル等であることが好ましい。重り部の材質としては、溶出性がなく、薬剤を変質させず、防錆性がある金属を用いることが好ましく、例えば、ステンレス鋼、コバルト鋼等を用いることが好ましい。また、連通用部材は、流通規制部を挿通もしくは間に挟まれたときに排出口と反対側に抜けることを防止するストッパーを有していることが好ましい。上述した連通用部材１８の重り部１０ｄは、ストッパーの役目も果たす。
本発明の医療用容器１の製造方法について説明する。まず、シール部１４の排出用ポート取付部及びシール部１５の一部分を除いた全周部分及び仕切用シール部５をヒートシールした軟質バッグ２を準備する。そして、シール部１５の未シール部分から軟質バッグ２内に第２の薬剤室４に収容する薬剤１２及び連通用部材１０を収容し、未シール部をヒートシールする。これにより、薬剤１２を収容した第２の薬剤室４が形成される。そして、排出用ポート取付部から第１の薬剤室３に収容する薬剤１１を注入した後、排出用ポート取付部に排出用ポート６をヒートシールにより取り付けることにより、本発明の医療用容器１の製造が完了する。
【００３１】
なお、医療用容器１の製造方法としては、次のようなものであってもよい。まず、排出用ポート取付部及びシール部１４，１５のうち排出用ポート取付部からみて左右どちらかの一部分を除いた全周部分、仕切用シール部５をヒートシールした軟質バッグ２を準備し、排出用ポート取付部に排出用ポート６をヒートシールにより取り付ける。その後、シール部１４の未シール部から薬剤１１を充填し、シール部１５の未シール部から薬剤１２及び連通用部材１０を収容した後、未シール部をヒートシールする。また、後述する図１３、図１７および図２１の弁機構を有する排出用ポートを取り付ける場合は、排出用ポートを取り付けた後、排出口側から強制圧力により薬剤１１を注入することが可能であるが、この場合、注入後に排出用ポートの中空部と第１の薬剤室３との連通を防止するため、排出用ポート中空部の体積以上の空気もしくは窒素等のガスを充填することが好ましい。
【００３２】
次に、本発明の医療用容器１の使用方法について図１，図８を用いて説明する。まず、医療用容器１の第２の薬剤室４の腹を手、指で強く押圧して第１の薬剤室３と第２の薬剤室４を区分する仕切用シール部５を図８に示すように剥離させる。これにより、第２の薬剤室４から連通用部材１０を第１の薬剤室３側に移動させることができるとともに、第１の薬剤室４の薬剤１１と第２の薬剤室４の薬剤１２が混合される。そして、医療用容器１の排出口側を上側に向けて、液面に浮遊している連通用部材１０をバッグ２ごしに担持し、連通用部材１０を膜部９に突き刺すことにより流入孔６ａが形成され排出用ポート６内と薬剤室内とが連通する。その後、排出用ポート６の排出口６ｂに排出用針を挿通して薬剤を投与する。
本発明の医療用容器によれば、２以上の成分の薬剤を混合する前に、薬剤を排出することを確実に防止することができる。
【００３３】
また、流通規制部２１は、図９，図１０，図１１に示すように、排出用ポート２０の中空部２０ｃを横切る破断可能な薄板部であり、連通用部材２２は薄板部を破断するための部材であってもよい。流通規制部２１を有する排出用ポート２０は、上述した排出用ポート６と流通規制部２１を除いて同じ構造をしているため相違点を中心に説明する。
排出用ポート２０は、筒状部材であり、上端部に流通規制部２１を有し、下端部に排出口２０ｂを有し、内部に中空部２０ｃを有している。流通規制部２１は、排出用ポート２０の中空部２０ｃを閉塞するように排出用ポート２０と一体に形成された薄板部である。
薄板部２１は、連通用部材を挿通することにより破断可能に形成されている。この実施例の薄板部２１には中心から放射線状に破断可能な脆弱部２１ａが形成されている。脆弱部２１ａは、そのほかの部分より薄い肉薄部である。この実施例において流通規制部２１は、排出用ポート２０と一体に作製されているが、これに限定されず、別部材として作製して排出用ポートの先端部に取りつけてもよい。流通規制部の構成材料としては、排出用ポート６と同様であることが好ましい。
【００３４】
連通用部材２２としては、連通用部材１０と同様の構成であることが好ましい。図１２に示す実施例では、連通用部材２２は、坦持部２２ａとそれより径の小さい挿通部２２ｂと、薬剤誘導路２２ｃとからなる。流通規制部２２を流通規制部２１に突き刺すと、図１２に示すように、脆弱部２１ａに切り込みが入り薄板部２１が破断され、薬剤が排出される流入口２０ａが形成される。流通規制部２１及び連通用部材２２を有する医療用容器も、上述した医療用容器１と同様の方法で製造されることが好ましい。また、流通規制部２１及び連通用部材２２を有する医療用容器も、上述した医療用容器１と同様の方法で薬剤投与を行うことができる。
また、流通規制部は、薬剤室内からの中空部への薬剤の流通を規制するための弁機構であり、連通用部材は、弁機構の間に挿通もしくは挟まれることにより弁を開通するための部材であってもよい。
【００３５】
弁機構２４としては、図１３，図１４，図１５に示すように、中空部２３ｃを横切るように重なり合う複数の扇形状の弁体２４ａにより構成され、連通用部材２６は、弁体２４ａに挿通可能なものである。弁機構２４を有する排出用ポート２３は、流通規制部２４の構成のみ上述した排出用ポート６と異なっている。以下、相違点を中心に説明する。
弁機構２４は、中空部２３ｃの先端を横切るように重なり合う複数の扇形の薄板状の弁体２４ａにより構成されている。開通していない状態では、図１４，図１５に示すように、隣接する弁体２４ａ同士が隙間なく配置され中空部２３ｃの先端を覆っている。連通用部材２６を挿通すると、図１６に示すように、それぞれの弁体２４ａは排出口２３ｂ側に湾曲する。そして、それぞれの弁体２４ａが湾曲した状態では、隣接する弁体２４ａの間に隙間ができ、薬剤流入口２３ａが形成される。弁体２４ａの先端部には、図１４，図１５に示すように、複数の弁体２４ａが隙間なく重なり合うように先端側に突出する突出部２４ｂが設けられている。突出部２４ｂ同士が排出用ポート先端部の中央付近で重ね合わされることにより、弁体２４ａ同士は隙間なく重なり合うものとなっている。突出部２４ｂを有することにより、加熱滅菌の際に薬剤室の内圧が高くなったとしても、弁体２４ａが排出口側に開通することがないため、薬剤を混合する前に薬液が排出用ポート内に流入することがない。
【００３６】
また、流通規制部２４は、加熱滅菌時において、薬剤室３から中空部２３ｃ内への蒸気の流通を許容するものであることが好ましい。本発明の弁機構２４の弁体２４ａは、開通していない状態では、薬剤室３から中空部２３ｃへ蒸気が入り込むことができる程度に重なり合っている。これにより、排出用ポート２３内を確実に滅菌することができる。
連通用部材２６は、弁機構２４を開通することができるものであればいかなる形状であってもよい。連通用部材２６としては連通用部材１０と同様の構成であることが好ましい。実施例では、連通用部材２６は、坦持部２６ａとそれより径の小さい挿通部２６ｂと、薬剤誘導路２６ｃとからなる。
【００３７】
連通用部材２６を弁機構２４に突き刺すことにより、図１６に示すように、それぞれの弁体２４ａが排出口側に湾曲して、隣接する弁体２４ａの間には隙間が生じる。この結果、弁機構２４には、流入口２３ａが形成される。
このような流通規制部２４及び連通用部材２６を有する医療用容器の製造方法及び使用方法については上述した医療用容器１と同様であることが好ましい。
また、弁機構２８としては、図１７，図１８，図１９，図２０に示すように、ボール状の弁２９と、弁２９を支持する支持部３０からなり、連通用部材３１は、ボール状の弁２９を支持部３０からずらして連通状態とするとができる部材であってもよい。弁機構２８を有する排出用ポート２７は、下端部に排出口２７ｂを有し、上端部に弁機構２８を有し、内部に中空部２７ｃを有している。排出用ポート２７は、上端部の構造のみ排出用ポートと異なっている。以下、相違点を中心に説明する。
【００３８】
支持部３０は、排出用ポート２７の上端部に設けられ、ボール状の弁２９を収納するための筒状収納部である。支持部３０は、上端が閉塞されている。支持部３０と排出用ポート２７の境界面３４には薬剤流入口２７ａが設けられている。流入口２７ａの周囲にはボール状の弁２９が流入口２７ａからはずれないようにするための支持用リブ３６が設けられている。また、流入口２７ａをボール状の弁２９で確実に覆うことができるように凹部形状となっていることが好ましい。また、支持部３０の側壁には薬剤流入孔３２が設けられている。薬剤は、薬剤流入孔３２と流入口２７ａを通じて中空部２７ｃ内に流入するものとなっている。また、支持部３０の上端側壁には、開通操作のときに連通用部材３５を挿通するための挿通口３８が設けられている。
【００３９】
ボール状の弁２９は、流入口２７ａを覆うとともに、開通操作のときに支持用リブ３６を乗り越えることができる程度の大きさに作製されている。ボール状の弁は、支持部と同様の材質により作製されていることが好ましい。また、ボール状の弁は、弾性材料により作製されていてもよい。また、薬剤室３と中空部２７ｃとが連通する前は、ボール状の弁２９が流入口２７ａを覆った状態で、弁２９が支持部３０の上端側壁の内面に接触している。また、流通規制部２８は、加熱滅菌時において、薬剤室３から中空部２７ｃ内への蒸気の流通を許容するものであることが好ましい。本発明の実施例において、ボール状の弁２９は、加熱滅菌時において薬剤室３から中空部２３ｃへ蒸気が入り込む程度に流入口２７ａを覆っている。これにより、排出用ポート２７内を確実に滅菌することができる。
以上のような構成により、弁機構２８は、薬剤室３と排出用ポート２７との連通を規制している。そして、ボール状の弁２９を連通用部材３５により流入口２７ａからずらすことにより薬剤室と排出用ポート２７とが連通する。支持部３０の構成材料としては、排出用ポートに用いられる構成材料と同様であることが好ましい。
【００４０】
ボール状の弁２９は、流入口２７ａを確実に覆うことができるとともに、開通操作のときに支持用リブ３６を乗り越えることができる程度の大きさに作製されている。ボール状の弁は、支持部と同様の材質により作製されていることが好ましい。また、ボール状の弁は、弾性材料により作製されていてもよい。弾性材料で作製すれば、流入口２７ａを確実に閉塞できるとともに、連通用部材３５により容易にずらすことができる。弁機構２８が以上のような構成であると、医療用容器を加熱滅菌した際、ボール状の弁２９と流入口２７ａとの間から高温蒸気が排出用ポート内に入り込むため、排出用ポート２７内を確実に滅菌することができる。
連通用部材３５は、ボール状の弁をずらすことができるものであれば、いかなる形状であってもよい。連通用部材３５としては、棒状部材であることが好ましい。連通用部材３５は、坦持部３５ａと坦持部３５ａより径の小さい挿通部３５ｂからなる。この連通用部材３５を挿通口３８に挿通してボール状の弁２９を横にずらすことにより薬剤室と中空部２７ｃとは連通する。また、連通用部材３５は、連通用部材１０のように薬剤誘導路を有していてもよい。
【００４１】
このような流通規制部２８及び連通用部材３５を有する医療用容器の製造方法及び使用方法については上述した医療用容器１と同様であることが好ましい。
また、弁機構４１は、図２１，図２２，図２３，図２４に示すように、排出用ポート４０の中空部４０ｃの開口４０ａの周囲に配置され開口４０ｃを覆うように互いに接触する２枚のフィルムにより構成され、連通用部材４４は、２枚のフィルム４１ａを離間させる部材であってもよい。排出用ポート４０は、下端部に形成された排出口４０ｂと上端部に形成された弁機構４１と、内部に形成された中空部４０ｃとを有している。排出用ポート４０は、排出用ポート６と上端部の構成のみ異なっている。以下、相違点を中心に説明する。
【００４２】
排出用ポート４０の上端部には、フィルム４１ａが接触する部分となっており、図２１，図２３に示すように、両側面には上端側に向かって内側に湾曲する湾曲面４０ｂが形成されている。湾曲面４０ｂには、それぞれ中空部４０ｃと連通する開口４０ａが形成されている。フィルム４１ａは、矩形状に作製されている。フィルム４１ａは、図２３に示すように、湾曲面４０ｂの下端部付近に取りつけられ、湾曲面４０ｂの開口４０ａを覆うように湾曲面４０ｂ上に配置されている。そして、それぞれのフィルム４１ａの上側部分は湾曲面４０ｂの上端側で接触している。流通規制部４１は、加熱滅菌時において、薬剤室から中空部４０ｃ内への蒸気の流通を許容するものであることが好ましい。本発明の実施例では、フィルム４１ａは、薬剤が開口４０ａから流入しないとともに、加熱滅菌時において蒸気が開口４０ａから中空部４０ｃ内に入り込む程度の閉塞性をもって開口４０ａを覆っていることが好ましい。これにより、排出用ポート４０内を確実に滅菌することができる。フィルムの構成材料としては、ポリエチレン、ポリプロピレン等のポリオレフィン、ポリエチレンテレフタレート等のポリエステルであることが好ましい。
【００４３】
連通用部材４４は、図２４に示すように、断面が三角形の楔型形状の部材である。図２４に示すように、連通用部材２２を２枚のフィルム４１ａの間に挟むことによりフィルム４１ａが湾曲面４０ｂと離間して隙間が生じ、薬剤室の薬液が中空部４０ｃ内に流通するものとなる。
また、弁機構は、排出口側から強制圧力による薬剤の注入が可能な形状となっていてもよい。このような構成により、輸液剤で頻繁に行われる抗生物質、抗不整脈薬、抗潰瘍剤、強心剤、制癌剤等の治療薬またはミネラル類の調整のために行われる注射器等による混注が可能となる。
以上のような流通規制部４１及び連通用部材４４を有する医療用容器の製造方法及び使用方法については上述した医療用容器１と同様であることが好ましい。
【００４４】
次に、本発明の他の実施例である医療用容器について説明する。図２５は、本発明の他の実施例である医療用容器の正面図である。
本発明は、複数の薬剤室３，４と複数の薬剤室３，４を仕切るための剥離可能な仕切用シール部５とを有するとともに軟質樹脂製シートにより形成された軟質バッグ２と、複数の薬剤室３，４のうちの一つの薬剤室３に接続された排出用ポート６と、複数の薬剤室３，４に収納された異なる薬剤１１，１２を備える医療用容器４５であって、排出用ポート６は、排出用ポート６内に形成された中空部６ｃと、薬剤室３からの中空部６ｃへの薬剤１１の流通を規制する流通規制部９を有し、さらに、医療用容器４５は、仕切用シール部５に保持されるとともに仕切用シール部５の剥離によりシール部５より離脱することにより使用可能となり、流通規制部９の薬剤流通を可能とする連通用部材１０を備える。
【００４５】
本発明の医療用容器４５と上述した医療用容器１とは、医療用容器４５が仕切用シール部５に流通規制部９の薬剤の流通を可能とするための連通用部材１０が保持されている点において相違している。そのほかの構成においては、上述した通りであるため説明を省略する。本発明の医療用容器４５によっても、医療用容器１と同様の効果を得ることができる。また、流通規制部９及び連通用部材１０の代わりに、上述した連通用規制部及び連通用部材を用いてもよい。本発明の実施例において、シール部５の連通用部材１０を保持する部分は、図２５に示すように、その他の部分より幅広に形成されている。  
また、医療用容器４５は、２つの薬剤室３，４を有し、一方の薬剤室３には排出用ポート６が接続され、仕切用シール部５には連通用部材１０が保持されている。医療用容器４５の製造方法は、軟質バッグ２を準備する際、連通用部材１０が仕切用シール部５内に保持されるように仕切用シール部を形成することを除いて、医療用容器１の製造方法と同様であることが好ましい。
【００４６】
医療用容器４５は、第２の薬剤室４の腹を手、指で強く押圧して、第１の薬剤室３と第２の薬剤室４を区分する仕切用シール部５を図８に示すように剥離させる。これにより、連通用部材１０を仕切用シール部５から離脱させることができるとともに、第１の薬剤室４の薬剤１１と第２の薬剤１２が混合される。そして、医療用容器４５の排出口側を上側に向けて、液面に浮遊している連通用部材１０をバッグ２ごしに担持し、連通用部材１０を膜部９に突き刺すことにより薬剤流入口６ａが形成され排出用ポート６内と薬剤室内が流通する。その後、排出用ポート６の排出口６ｂに排出用針を挿通して薬剤を投与する。
本発明の医療用容器によれば、２以上の成分の薬剤を混合する前に薬剤を排出することを確実に防止することができる。
【００４７】
また、本発明の実施例である医療用容器が３室以上の薬剤室を有している場合、連通用部材は、排出用ポートが接続された薬剤室から最も多くの仕切用弱シール部を介した仕切用シール部に保持されていることが好ましい。これにより、２成分以上の薬剤を混合する前に薬剤を排出することを確実に防止できる。
また、本発明の実施例では、仕切用シール部５内に連通用部材１０のすべての部分が保持されているが、これに限定されるものではなく、以下の医療用容器５０のように連通用部材１０の一部のみ仕切用シール部に保持されていてもよい。  図２６は、本発明の他の実施例である医療用容器の正面図であり、図２７は、医療用容器を構成する排出用ポート付近の部分断面図であり、図２８は、医療用容器の使用方法を説明するための説明図である。
【００４８】
本発明は、複数の薬剤室３，４と複数の薬剤室３，４を仕切るための剥離可能な仕切用シール部５とを有するとともに軟質樹脂製シートにより形成された軟質バッグ２と、複数の薬剤室３，４のうちの一つの薬剤室３に接続された排出用ポート５１と、複数の薬剤室３，４に収納された異なる薬剤１１，１２を備える医療用容器５０であって、排出用ポート５１は、排出用ポート５１内に形成された中空部５１ｃと、薬剤室３からの中空部５１ｃへの薬剤１１の流通を規制する流通規制部５２を有し、さらに、医療用容器５０は、仕切用シール部５に保持されるとともに仕切用シール部５の剥離によりシール部５より離脱することにより使用可能となり、流通規制部５２の薬剤流通を可能とする連通用部材５４を備える。
また、連通用部材５４は、一端側に流通規制部５２を開通するための連通部５５を有し、他端側が仕切用シール部５に保持されており、さらに、連通部５５を流通規制部５２へ誘導する誘導部５６を有する。  
本発明の実施例によれば、２以上の成分の薬剤を混合する前に薬剤を排出することを確実に防止することができるとともに、薬剤室からの中空部への薬剤の流通を容易に行うことができる。
【００４９】
本発明の実施例である医療用容器５０と、上述した医療用容器１との相違点は、流通規制部５２、連通用部材５４及び排出用ポート５１の上端部に連通用部材５４の誘導部５６が形成されている点である。流通規制部５２は、弁機構である。以下、相違点を中心に説明する。
また、連通用部材５４は、長い棒状部材であり、先端部に連通部５５を有し、基端部には仕切用シール部５により固定される固定部５８を有している。また、連通用部材５４は、排出用ポート５１の縦方向に向かって軟質バッグ２内に配置され、基端部が仕切用シール部５に保持され、先端部が排出用ポート５１の他端部に設けられた誘導部５６により位置決めされている。連通部５５は、尖端部となっていることが好ましい。連通部５５の形状としては流通規制部５２を流通可能とするものであればいかなる形状であってもよい。また、固定部５８は、Ｔ字状部となっている。連通用部材５４の基端部の形状としては、仕切用シール部５に確実に固定されるものであればいかなる形状であってもよい。仕切用シール部５の連通用部材５４の基端部を保持する部分は、図２６に示すように、その他の部分より幅広に形成されている。
【００５０】
誘導部５６は、連通用部材５４の連通部５５を流通規制部５２に方向づける部分である。誘導部５６は、排出用ポート５１の上端部に形成された上端が閉塞した筒状部である。誘導部５６の上端側壁には、流通規制部５４の進行方向を決める誘導孔５７が形成されている。連通用部材５４の先端部は、図２７に示すように、誘導孔５７に挿通されており、連通用部材５４を先端側に押すと、連通部５５が流通規制部５２に向かって確実に進行するものとなっている。また、誘導部５６の側壁には、薬剤が流入可能な薬剤流入孔５９が形成されている。薬剤室の薬剤は、薬剤流入孔５９から開通した流通規制部５２を介して排出用ポート５１内に介して排出用ポート５１内に流入するものとなっている。
【００５１】
また、連通用部材５４には、連通用部材５４が誘導部５６から抜けることを防止するストッパー５３が設けられている。ストッパー５３は、連通部５５の基端側に設けられている。また、連通用部材５４には、連通用部材５４が流通規制部５２から抜けることを防止するストッパーが設けられていることが好ましい。この実施例では、ストッパー５３が抜け防止用ストッパーでもある。また、連通用部材５４の基端部には、固定部５８が設けられている。固定部５８は、操作部として用いることができる。
図２６，図２７に示すように、連通用部材５４は、基端部の固定部５８が仕切用シール部５に固定されているため仕切用シール部５を剥離していない状態では流通規制部５２側に移動させることができない。このため、仕切用シール部５を剥離した状態、つまり第１の薬剤室３の薬剤１１と第２の薬剤室４の薬剤１２が混合された状態でなければ連通用部材５４を用いて流通規制部５２を開通できないものとなっている。
【００５２】
次に、医療用容器５０の製造方法について説明する。まず、排出用ポート取付部及びシール部１４を除いてシールした軟質バッグ２、連通用部材５４と連結した排出用ポート５１を準備する。本発明の実施例においては、シール部１４の排出用ポート取付部及びシール部１４，１５の一部分を除いた全周部分をヒートシールした軟質バッグ２を準備する。そして、排出用ポート５１に連結した連通用部材５４を縦向きに固定部５８が仕切用シール部５が形成される部分にくるように配置して軟質バッグ２の中央付近を水平かつ直線状に弱シールする。そして、排出用ポート５１を排出用ポート取付部にヒートシールにより取り付ける。その後、シール部１５の未シール部から軟質バッグ２内に第２の薬剤室４に収容する薬剤１２を注入して未シール部をシールする。これにより、第２の薬剤室４が形成される。また、シール部１５の未シール部から軟質バッグ２内に第２の薬剤室４に収容する薬剤１２を注入して未シール部をシールして第１の薬剤室３が形成される。以上より、本発明の医療用容器５０が製造される。
【００５３】
次に、本発明の医療用容器５０の使用方法について説明する。
まず、医療用容器５０の第２の薬剤室４の腹を手、指で強く押圧して第１の薬剤室３と第２の薬剤室４を区分する仕切用シール部５を図２８に示すように剥離する。これにより、連通用部材５４の固定部５８が仕切用シール部５から開放され、連通用部材５４は移動可能となる。また、仕切用シール部５を剥離させることにより、第１の薬剤室３の薬剤１１と第２の薬剤室４の薬剤１２が混合される。その後、連通用部材５４を流通規制部５２側に押すと、連通用部材５４の連通部５５は誘導部５６に誘導されて流通規制部５２に到達し、流通規制部５２を開通する。そして、排出用ポート５１の排出口５１ｂに排出用針を挿通することにより薬剤を投与する。  
【００５４】
また、本発明の実施例である医療用容器が３室以上の薬剤室を有している場合、連通用部材は、排出用ポートが接続された薬剤室から最も多くの仕切用弱シール部を介した薬剤室に収納されていることが好ましい。これにより、２成分以上の薬剤を混合する前に薬剤を排出することを確実に防止できる。
次に、本発明の他の実施例である医療用容器について説明する。図２９は、本発明の他の実施例である医療用容器の正面図であり、図３０は、本発明の他の実施例である医療用容器の使用方法を説明するための説明図であり、図３１は、本発明の他の実施例である医療用容器の使用方法を説明するための説明図である。
本発明の医療用容器６０は、薬剤室３を有するとともに軟質樹脂製シートにより形成された軟質バッグ６１と、軟質バッグ６１に取り付けられた排出用ポート６と、軟質バッグ６１に取り付けられた薬剤容器６３と、薬剤室７に収納された薬剤１３と、薬剤容器６３に収納された上記薬剤７と異なる薬剤とを備える医療用容器６０であって、排出用ポート６は、排出用ポート６内に形成された中空部６ｃと、薬剤室７からの中空部６ｃへの薬剤１３の流通を規制する流通規制部９を有し、薬剤容器６３は、流通規制部９の薬剤流通を可能とする連通用部材６５を備えており、かつ、連通用部材６５は薬剤容器６３と薬剤室７との連通を規制するとともに薬剤容器本体部６２から分離可能となっている。
【００５５】
本発明の医療用容器６０と、上述した医療用容器１との相違点は、医療用容器６０には、薬剤室７内に薬剤容器６３の一部として形成された連通用部材６５が配置されている点、薬剤室７が仕切用シール部により仕切られていない点、軟質バッグ６１の他端部の形状である。その他の構成は医療用容器１と同様であるため説明を省略する。また、この発明の医療用容器６０の排出用ポート６の代わりに上述した排出用ポートを用いてもよい。
医療用容器６０は、図２９に示すように、薬剤室７を有する軟質バッグ６１と、薬剤室７に収納された薬剤１３と、軟質バッグ６１の一端部に取り付けられた排出用ポート６と、他端部に取り付けられた薬剤容器６３を備えている。
連通用部材６５は、破断可能な脆弱部６６を介して薬剤容器本体部６２の先端側に設けられている。薬剤容器６３は、図２９に示すように、薬剤容器本体部６２と、連通用部材６５と、薬剤容器本体部６２との間に設けられた破断可能部６６を有している。
【００５６】
薬剤容器としては、公知のクリックチップ機構を有する薬剤容器であることが好ましい。薬剤容器本体部６２は、内部に薬剤を収納可能な筒状部である。薬剤容器本体部６２は、先端側に向かってテーパー状に縮径している。薬剤容器には予め薬剤室に収容された薬剤と混合した状態では安定して保存することが困難な薬剤、例えば、薬剤１３が生理食塩水等の水溶液（溶解液）の場合は、タンパク製剤、抗生物質等の凍結乾燥薬剤や粉末剤等が収容されていることが好ましい。また、全体として総合ビタミン剤を配合させたいときは、薬剤容器に脂溶性ビタミンを主に配合した脂溶性ビタミン液を収容することが好ましい。また、薬剤室７に収容された薬剤１３としては、薬剤容器に収納された薬剤を溶解する溶解用液であることが好ましい。溶解溶液としては、生理食塩水、電解質溶液等であることが好ましい。
【００５７】
連通用部材６５は、薬剤容器本体部６２の先端側に設けられている。連通用部材６５は、薬剤容器本体部６２と隣接した部分の形状を除いて、連通用部材１０とほぼ同じ形状をしている。連通用部材６５は、薬剤容器本体部６２の先端側に設けられ、担持部６５ａと担持部６５ａの先端側に設けられ担持部６５ａより径の小さい挿通部６５ｂとからなる。挿通部６５ｂには、上述した連通用部材１０のように重り部が設けられていてもよい。また、連通用部材６５は、上述したような薬剤誘導路６５ｃを有している。担持部６５ａは、連通用部材６５を薬剤容器本体部６２から分離させる操作及び流通規制部９に連通用部材６５を突き刺す際に担持される部分である。
破断可能部６６は、実施例では薬剤容器本体部６２と連通用部材６５との間に設けられた薄肉部である。このような構成により、連通用部材６５を薬剤容器本体部６２に対して折り曲げると破断可能部６６が破断して連通用部材６５が薬剤容器本体部６２から分離するものとなっている。連通用部材６５が分離することにより、薬剤容器本体部６２の先端には開口が形成され薬剤容器本体部６２と第２の薬剤室４が連通するものとなっている。また、連通用部材としては、薄肉部を介して薬剤容器本体部に接合されているものに限定されず、薬剤容器本体部の先端部を閉塞する開封可能なキャップであってもよい。薬剤容器６１の構成材料としては、上述した排出用ポートと同様のものが好ましい。
【００５８】
医療用容器６０の製造方法は、薬剤容器６３を軟質バッグ６１の他端部に取り付けること、軟質バッグ６１に仕切用シール部を形成しないことを除いて、上述した医療用容器１の製造方法と同じである。
本発明の医療用容器６０の使用方法としては、まず、図３０に示すように、連通用部材６５を薬剤容器本体部６２に対して折り曲げ、連通用部材６５を分離する。これにより、薬剤容器６３の薬剤は、薬剤室７内の薬剤１３と混合される。
そして、医療用容器６０の排出口側を上側に向けて、液面に浮遊している連通用部材６５を軟質バッグ６１ごしに担持し、図３１に示すように、連通用部材６５を膜部９に突き刺すことにより流入孔６ａが形成され排出用ポート６内と薬剤室内とが連通する。その後、排出用ポート６の排出口６ｂに排出用針を挿通して薬剤を投与する。
上述した構成により、２成分以上の薬剤を混合する前に薬剤を排出することを確実に防止できる。
【００５９】
また、上述した医療用容器は、図３２に示す医療用容器７０のように、薬剤室は剥離可能な仕切用シール部５より複数の薬剤室３，４に仕切られ、薬剤容器６１は、排出用ポート６が取り付けられていない薬剤室４に取り付けられ、複数の薬剤室３，４には、異なる薬剤１１，１２が収納されていてもよい。この医療用容器７０は、仕切用シール部５を有している点を除いて医療用容器６０と同様の構成をしている。このような構成により、仕切用シール部５を剥離していない状態では、薬剤容器６２から分離された連通用部材６５を流通規制部９側に移動させることができない。つまり第１の薬剤室３の薬剤１１と第２の薬剤室４の薬剤１２が混合された状態でなければ連通用部材６５を用いて流通規制部９を開通できないものとなっている。
【００６０】
本発明の医療用容器７０の使用方法としては、まず、上述したように、連通用部材６５を薬剤容器本体部６２に対して折り曲げ、連通用部材６５を分離する。これにより、薬剤容器６１の薬剤は、第２の薬剤室４内の薬剤１２と混合される。そして、図３３に示すように、医療用容器７０の第２の薬剤室４の腹を手、指で強く押圧して第１の薬剤室３と第２の薬剤室４を区分する仕切用シール部５を剥離させる。これにより、第２の薬剤室４から連通用部材６５を取り出すことができるとともに、第１の薬剤室４の薬剤１１と第２の薬剤１２が混合される。そして、医療用容器７０の排出口側を上側に向けて、液面に浮遊している連通用部材６５を軟質バッグ６１ごしに担持し、図３３に示すように、連通用部材６５を膜部９に突き刺すことにより流入孔６ａが形成され排出用ポート６内と薬剤室内とが連通する。その後、排出用ポート６の排出口６ｂに排出用針を挿通して薬剤を投与する。
【００６１】
医療用容器７０の製造方法は、薬剤容器６３を軟質バッグ６１の他端部に取り付けること、軟質バッグ６１に仕切用シール部を形成しないことを除いて、上述した医療用容器１の製造方法と同じである。
また、本発明の実施例である医療用容器が３室以上の薬剤室を有している場合、連通用部材は、排出用ポートが接続された薬剤室から最も多くの仕切用弱シール部を介した薬剤室に収納されていることが好ましい。以上のような構成によっても、２成分以上の薬剤を混合する前に薬剤を排出することを確実に防止できる。
【００６２】
次に、本発明の他の実施例である輸液用容器を図面に示した実施例を用いて説明する。図３４は、本発明の他の実施例である医療用容器の正面図であり、図３５は、図３４に示す医療用容器のＡ−Ａ線断面図であり、図３６は、図３４に示す医療用容器の使用方法を説明するための説明図であり、図３７は、図３６に示す医療用容器のＢ−Ｂ線断面図である。
本発明の医療用容器８０は、複数の薬剤室３，４と複数の薬剤室３，４を仕切るための剥離可能な仕切用シール部５と薬剤室３と隣接する空間８２とを有するとともに軟質樹脂製シートにより形成された軟質バッグ８１と、複数の薬剤室３，４に収容された異なる薬剤１１，１２と、空間８２に取り付けられた排出用ポート８３とを備える医療用容器８０であって、軟質バッグ８１は、薬剤室３と空間８２との間に配置され薬剤室３から空間８２への薬剤１１の流通を規制するための流通規制部８５を備え、さらに、医療用容器８０は、空間８２と隣接しない薬剤室４内に収納され、流通規制部８５の薬剤流通を可能とするための連通用部材８６を備える。
【００６３】
また、本発明の医療用容器８０は、２つの薬剤室３，４を有し、一方の薬剤室３は空間８２と隣接しており、他方の薬剤室４内には連通用部材８６が収納されている。本発明の医療用容器８０は、図３４に示すように、医療用容器１と、空間８２を有する点、排出用ポート８３及び流通規制部８５の構成のみ異なっている。以下、相違点を中心に説明する。
本発明の実施例の医療用容器８０は、図３４に示すように、第１の薬剤室３と第２の薬剤室４と、第１の薬剤室３と隣接する空間８２と、第１の薬剤室３と第２の薬剤室４とを仕切る仕切用シール部５と、第１の薬剤室３と空間８２とを仕切るとともに、第１の薬剤室３から空間８２への流通を規制する流通規制部８５とを備えている。空間８２には、薬剤は充填されていない。
【００６４】
本発明の流通規制部は、薬剤室内からの空間への薬剤の流通を規制するための弁機構であり、連通用部材は、弁機構に挿通もしくは弁機構の間に挟まれることにより弁を開通するための部材である。本発明の流通規制部８５は、軟質バッグ８１の一の側辺から他の側辺まで形成され、第１の薬剤室３と空間８２とを仕切るとともに第１の薬剤室３からの空間８２への流通を規制している。弁機構８５としては、図３５に示すように、軟質バッグ８１の内面に取り付けられ、液密に接触可能な２枚のフィルム形成部８５ａ，８５ｂを有し、連通用部材８６は、２枚のフィルム形成部８５ａ，８５ｂを離間させる部材である。具体的に、弁機構８５は、軟質バッグ８１を構成する一のシート８１ａの内面に取り付けられた帯状の第１のフィルム８５ａと、他のシート８１ｂの内面に取り付けられた帯状の第２のフィルム８５ａからなる。
【００６５】
図３５に示すように、第１のフィルム８５ａと第２のフィルム８５ｂは、内側において液密に接触しており、第１のフィルム８５ａと第２のフィルム８５ｂの下端部は、接触した面が外側となるように曲げられており、曲げられた部分が軟質バッグ８１の内面に取り付けられている。フィルム８５ａとフィルム８５ｂは、軟質バッグ８１内面に熱融着、高周波融着、接着剤等により取り付けられていることが好ましい。流通規制部８５は、加熱滅菌時において、第１の薬剤室３から空間８２への蒸気の流通を許容するものとなっている。このような構成により、医療用容器を加熱滅菌した際、フィルム８５ａとフィルム８５ｂの間から高温蒸気が排出用ポート内に入り込むため、空間８２内及び排出用ポート８３内を確実に滅菌することができる。
フィルムの構成材料としては、ポリエチレン、ポリプロピレン等のポリオレフィン、ポリエチレンテレフタレート等のポリエステルであることが好ましい。
本発明の場合は、薬剤室３と空間８２を仕切る部分がすべて連通規制部８５となっているがこれに限定されるものではない。このような弁機構は、空間８２と空間８２に隣接する薬剤室３とを仕切るシール部に直接もしくは間接的に取り付けられているものであってもよい。
【００６６】
連通用部材８６は、図３４，図３５に示すように、断面が三角形の楔型形状の部材である。図３７に示すように、連通用部材８６を２枚のフィルム８５ａ，８５ｂの間に進入させることにより、フィルム８５ａとフィルム８５ｂが離間して隙間が生じ、薬剤室の薬液が空間８２内に流入するものとなる。
排出用ポート８３は、軟質バッグ８１の一端部の中央付近に取り付けられている。排出用ポート８３は、公知のものが使用される。排出用ポート８３は、上端部に流入口を有し下端部に排出口を有する筒状部材である。排出口８３ｂは、上述した排出用ポート６と同様の構成であることが好ましい。
【００６７】
本発明の医療用容器８０の製造方法について説明する。まず、上述したフィルム８５ａ，８５ｂを上述した位置に配置して軟質バッグ内面８１ａ，８１ｂに熱融着により取り付ける。そして、排出用ポート取付部及びシール部１４，１５の一部分を除いて全周部分をシールし、また、仕切用シール部５が形成された軟質バッグ８１を準備する。そして、排出用ポート取付部に排出用ポート８３を取り付ける。その後、シール部１５の未シール部から薬剤１２及び連通用部材８６を充填し、未シール部をヒートシールする。これにより、薬剤１２及び連通用部材８６を収容する第２の薬剤室４が形成される。また、シール部１４の未シール部から薬剤１１を充填し、未シール部をヒートシールする。これにより、薬剤１１を収容する第１の薬剤室３が形成される。以上より、医療用容器８０の製造が完了する。
【００６８】
次に、本発明の医療用容器８０の使用方法について説明する。
まず、医療用容器８０の第２の薬剤室４の腹を手、指で強く押圧して第１の薬剤室３と第２の薬剤室４を区分する仕切用シール部５を図３６，図３７に示すように剥離させる。これにより、第２の薬剤室４から連通用部材８６を第１の薬剤室３側に移動させることができるとともに、第１の薬剤室３の薬剤１１と第２の薬剤室４の薬剤１２が混合される。そして、医療用容器８０の排出口側を上側に向けて、図３６，図３７に示すように、液面に浮遊している連通用部材８６を軟質バッグ８２ごしに担持し、連通用部材８６をフィルム８５ａとフィルム８５ｂの間に差し込み、フィルム８５ａとフィルム８５ｂを離間させる。なお、連通用部材８６を差し込んだ状態で左右に移動させフィルム８５ａとフィルム８５ｂの大部分を離間させることが好ましい。この操作により、流通規制部８５が開口し、薬剤室から空間８２内へ薬剤が流入する。その後、排出用ポート８３の排出口に排出用針を挿通して薬剤を投与する。
本発明の医療用容器によれば、２以上の成分の薬剤を混合する前に、薬剤を排出することを確実に防止することができる。
【００６９】
流通規制部としては、図３８に示す医療用容器９０のように、空間９２と空間９２に隣接する薬剤室３とを仕切るシール部９４に直接もしくは間接的に取り付けられているものであってもよい。本発明の医療用容器９０の流通規制部９５は、図３８に示すように、空間９２と空間９２に隣接する薬剤室３とを仕切るシール部９４に取り付けられた筒状部９６もしくは環状部の内孔９６ｃを横切るように設けられた破断可能な膜部９５であり、連通用部材９８は、膜部９５を破断するための部材である。
医療用容器９０は、第１の薬剤室３と、第２の薬剤室４と、第１の薬剤室３と隣接する空間９２と、第１の薬剤室３と第２の薬剤室４とを仕切るための仕切用シール部５と、第１の薬剤室３と空間９２とを仕切るためのシール部９４と、シール部９４に取り付けられた流通規制部９５を備える軟質バッグ９１と、第１の薬剤室３に収容された薬剤１１と第２の薬剤室４に収容された薬剤１２と、軟質バッグ９１のシール部１４に取り付けられた排出用ポート８３を有している。医療用容器９０は、医療用容器８０の構成と、流通規制部９５、シール部９４、連通用部材９８の構成を除いて同様であるため、以下、相違点のみを説明する。連通用部材９８としては、上述した連通用部材１０と同様の構成をしていることが好ましい。連通用部材９８としては、図３８に示すように、断面が十字状の棒状部材であり、担持部９８ａと、担持部９８ａより径の小さい挿通部９８ｂからなる。また、空間９２には、薬剤が充填されていない。
【００７０】
シール部９４は、図３８に示すように、第１の薬剤室３と空間９２とを仕切るように設けられており、側辺に向かって徐々に幅広となるように形成されている。このような構成により、薬剤が流通規制部９５から排出されやすくなり、また、空間９２内の空気が流通規制部から容易に抜けるものとなる。シール部９４は、薬剤室の押圧により剥離しないものとなっている。
本発明の実施例において、流通規制部９５はシール部９４に筒状部材９６を介して間接的に取り付けられている。流通規制部９５は、シール部９４の中央付近に設けられている。筒状部材９６は円筒部材であることが好ましい。筒状部材９６の構成材料としては、上述した排出用ポート６と同様であることが好ましい。膜部は、ポリエチレン、ポリプロピレン等のポリオレフィン、ポリエーテルスルフォン、ポリテトラフルオロエチレン、ポリ酢酸セルロース等の濾過フィルターに用いられている合成樹脂、ナイロン等の親水性ポリエステル、ポリウレタン等により構成された合成樹脂フィルム、シート、アルミ等の金属箔、合成樹脂フィルムと金属箔との積層体であることが好ましく、特に好ましくは、ポリプロピレンである。また、流通規制部９５は、加熱滅菌時において、薬剤室から中空部内への蒸気の流通を許容するものであることが好ましい。
【００７１】
具体的に、膜部としては、多孔質膜であることが好ましい。膜部が多孔質膜であれば、医療用容器を加熱滅菌する際、加熱蒸気が多孔質膜を通過し空間９２内を確実に滅菌することができる。多孔質膜である膜部は、合成樹脂を多孔質処理することにより形成されたものであることが好ましい。また、膜部としては硬質の多孔質膜であることが好ましい。膜部９５は、熱融着、高周波融着、接着剤等により筒状部材９６の上端に接合されることが好まし。また、膜部は、筒状部材の先端より下端側となる位置に接合されていてもよい。これにより、薬剤を混合する前に誤って膜部を破断することをより防止できる。本発明の実施例の膜部９５は連通用部材９８のみにより開通できるものとなっているため、混合前に第１の薬剤室３と空間９２が連通しないものとなっている。筒状部材の構成材料としては上述した排出用ポートと同様であることが好ましい。流通規制部は、シール部９４の中央部付近に熱融着、高周波融着、接着剤等により取り付けられている。
【００７２】
流通規制部としては、上述した薄板部２１と同様の構成を有する破断可能な薄板部であり、連通用部材は、薄板部を破断するための部材であってもよい。また、シール部に直接もしくは間接的に取り付けられる流通規制部としては、薬剤室内から空間への流通を規制するための弁機構であり、連通用部材は、弁機構に挿通もしくは弁機構の間に挟まれることにより弁を開通するための部材であってもよい。例えば、医療用容器８０のような２枚のフィルムで作製された弁機構を、シール部に直接もしくは間接的に取り付けてもよい。
本発明の医療用容器９０の製造方法について説明する。まず、シール部９４及び仕切用シール部５、また、シール部１５の一部分を除いて全周部分をヒートシールした軟質バッグ９１を準備する。そして、シール部９４の間から第１の薬剤室３に収容する薬剤１１を充填して流通規制部９５を有する筒状部材９６をヒートシールにより取り付ける。これにより、薬剤１１が収容された第１の薬剤室３が形成される。そして、シール部１５の未シール部から第２の薬剤室４に充填する薬剤１２を充填し、未シール部をヒートシールする。これにより、薬剤１２が収容された第２の薬剤室４が形成される。また、軟質バッグ９２のシール部１４を形成する。以上より、医療用容器９０の製造が完了する。
【００７３】
次に、本発明の医療用容器９０の使用方法について図４０を用いて説明する。
まず、医療用容器９０の第２の薬剤室４の腹を手、指で強く押圧して第１の薬剤室３と第２の薬剤室４を区分する仕切用シール部５を図４０に示すように剥離させる。これにより、第２の薬剤室４から連通用部材９８を第１の薬剤室３側に移動させることができるとともに、第１の薬剤室３の薬剤１１と第２の薬剤室４の薬剤１２が混合される。そして、医療用容器９０の排出口側を上側に向けて、図４０に示すように、液面に浮遊している連通用部材９８を軟質バッグ９１ごしに担持して、連通用部材９８を膜部９５に突き刺すことにより流入孔９５ａが形成され空間９２と薬剤室内とが連通する。その後、排出用ポート８３の排出口に排出用針を挿通して薬剤を投与する。
本発明の医療用容器によれば、２以上の成分の薬剤を混合する前に、薬剤を排出することを確実に防止することができる。
【００７４】
次に、本発明の他の実施例である医療用容器について図４１を用いて説明する。
医療用容器１００は、複数の薬剤室３，４と複数の薬剤室３，４を仕切るための剥離可能な仕切用シール部５と薬剤室３と隣接する空間を有するとともに軟質樹脂製シートにより構成された軟質バッグ１０１と、複数の薬剤室３，４に収容された異なる薬剤１１，１２と、空間８２に取り付けられた排出用ポート８３とを備える医療用容器１００であって、軟質バッグ１０１は、薬剤室３と空間８２との間に配置され、薬剤室３から空間８２への薬剤の流通を規制するための流通規制部８５を有し、さらに、医療用容器１００は、仕切用シール部５に保持されるとともに仕切用シール部５の剥離によりシール部５より離脱することにより使用可能となり、流通規制部８５の薬剤流通を可能とする連通用部材８６を備える。
【００７５】
この医療用容器１００は、上述した医療用容器８０と、連通用部材８６が仕切用シール部５内に保持されている点においてのみ異なっている。以下、相違点を中心に説明する。本発明の医療用容器１００によっても、医療用容器８０と同様の効果を得ることができる。流通規制部としては、上述したように、空間と空間に隣接する薬剤室とを仕切るシール部に直接もしくは間接的に取り付けられているものであってもよい。また、流通規制部９５及び連通用部材８６の代わりに、上述した医療用容器８０，医療用容器９０に用いられた流通規制部及び連通用部材を用いてもよい。
また、医療用容器１００は、２つの薬剤室３，４を有し、一方の薬剤室３には排出用ポート８３が接続され、仕切用シール部５には連通用部材９８が保持されている。医療用容器１００の製造方法は、仕切用シール部５を形成する位置に連通用部材８６を水平に配置した後、軟質バッグ１０１を水平に直線状に弱シールして仕切用シール部５を形成する点を除いて医療用容器８０の製造方法と同様である。仕切用シール部５の連通用部材８６を保持する部分は、図４１に示すように、その他の部分より幅広に形成されている。
【００７６】
医療用容器１００は、第２の薬剤室４の腹を手、指で強く押圧して、第１の薬剤室３と第２の薬剤室４を区分する仕切用シール部５を図３６，図３７に示すように剥離させる。これにより、連通用部材８６を仕切用シール部５から離脱させることができるとともに、第１の薬剤室３の薬剤１１と第２の薬剤室４の薬剤１２が混合される。そして、医療用容器８０の排出口側を上側に向けて、図３６，図３７に示すように、液面に浮遊している連通用部材８６を軟質バッグ１０１ごしに担持し、フィルム８５ａとフィルム８５ｂの間に差し込み、フィルム８５ａとフィルム８５ｂを離間させる。なお、連通用部材８６を差し込んだ状態で左右に移動させフィルム８５ａとフィルム８５ｂの大部分を離間させることが好ましい。この操作により、流通規制部８５が開口し、薬剤室から空間８２内へ薬剤が流入する。その後、排出用ポート８３の排出口に排出用針を挿通して薬剤を投与する。
【００７７】
本発明の医療用容器によれば、２以上の成分の薬剤を混合する前に薬剤を排出することを確実に防止することができる。
また、本発明の実施例では、仕切用シール部５内に連通用部材８６のすべての部分が保持されているが、これに限定されるものではなく、連通用部材の一部のみ仕切用シール部に保持されていてもよい。
次に、本発明の他の実施例である医療用容器について説明する。図４２は、本発明の他の実施例の医療用容器の正面図であり、図４３は、図４２に示す医療用容器の使用方法を説明するための説明図である。
本発明の医療用容器１０５は、薬剤室１０７と薬剤室１０７と隣接する空間９２とを有するとともに軟質樹脂製シートにより形成された軟質バッグ１０６と、空間９２に取り付けられた排出用ポート８３と、薬剤室１０７に取り付けられた薬剤容器６３と、薬剤室１０７に収納された薬剤１０８と、薬剤容器６３に収納された薬剤とを備える医療用容器１０５であって、軟質バッグ１０６は、薬剤室１０７と空間９２との間に配置され、薬剤室１０７から空間９２への薬剤の流通を規制するための流通規制部９５を有し、薬剤容器６３は、流通規制部９５の薬剤流通を可能とする連通用部材６５を備えており、かつ、連通用部材６５は薬剤容器６３と薬剤室１０７との連通を規制するとともに薬剤容器本体部６２から分離可能となっている。
【００７８】
この医療用容器は、上述した医療用容器と、排出用ポート及び流通規制部の構造のみ異なっている。以下、相違点を中心に説明する。
本発明の医療用容器１０５は、医療用容器９０と軟質バッグ１０６の他端部に薬剤容器６３が取り付けられている点、複数の薬剤室を有しない点、軟質バッグ１０６の他端部の構成のみ異なっている。以下、相違点を中心に説明する。薬剤容器６３としては、上述した通りである。
医療用容器１０５は、図４２に示すように、薬剤室１０７と、薬剤室１０７と隣接する空間９２と、薬剤室１０７と空間９２とを仕切るためのシール部９４とを有する軟質バッグ１０６と、シール部９４の間に取り付けられた膜部９５を有する筒状部材９６と、薬剤室１０７に収納された薬剤１０８と、軟質バッグ１０６の一端部に取り付けられた排出用ポート８３と、他端部に取り付けられた薬剤容器６３とからなる。
【００７９】
連通用部材６５は、図４２に示すように、破断可能な脆弱部６６を介して薬剤容器本体部６２の先端側に設けられている。薬剤容器６３は、薬剤容器本体部６２と、連通用部材６５と、薬剤容器本体部６２との間に設けられた破断可能部６６を有している。
流通規制部としては、上述した薄板部２１と同様の構成を有する破断可能な薄板部であり、連通用部材は、薄板部を破断するための部材であってもよい。また、シール部に直接もしくは間接的に取り付けられる流通規制部としては、薬剤室内から空間への流通を規制するための弁機構であり、連通用部材は、弁機構に挿通もしくは弁機構の間に挟まれることにより弁を開通するための部材であってもよい。例えば、医療用容器８０の２枚のフィルムで作製された弁機構を、シール部に直接もしくは間接的に取り付けてもよい。
【００８０】
医療用容器１０５の製造方法は、薬剤容器６３を軟質バッグ１０６の他端部に取り付けること、軟質バッグ１０６に仕切用シール部を形成しないことを除いて、上述した医療用容器９０の製造方法と同様である。
本発明の医療用容器１０５の使用方法としては、まず、図４３に示すように、連通用部材６５を薬剤容器本体部６２に対して折り曲げ、連通用部材６５を分離する。これにより、薬剤容器６１の薬剤は、薬剤室１０７内の薬剤１０８と混合される。そして、医療用容器１０５の排出口側を上側に向けて、図４３に示すように、液面に浮遊している連通用部材６５を軟質バッグ１０６ごしに担持して、連通用部材６５を膜部９５に突き刺して空間９２内と薬剤室内を連通させる。そして、排出用ポート８３の排出口に排出用針を挿通して薬剤を投与する。
以上より、上述した構成により、２成分以上の薬剤を混合する前に薬剤を排出することを確実に防止できる。
【００８１】
また、上述した医療用容器は、図４４，図４５に示す医療用容器１１０のように、薬剤室は剥離可能な仕切用シール部５により複数の薬剤室３，４に仕切られ、薬剤容器６３は、空間９２と隣接していない薬剤室４に取り付けられ、複数の薬剤室３，４には、異なる薬剤１１，１２が収納されていてもよい。仕切用シール部５を備えている点を除いて、医療用容器１０５と同様の構成をしている。このような構成により、仕切用シール部５を剥離していない状態では、薬剤容器６３から分離された連通用部材６５を流通規制部９５側に移動させることができない。つまり第１の薬剤室３の薬剤１１と第２の薬剤室４の薬剤１２が混合された状態でなければ連通用部材６５を用いて流通規制部９５を開通できないものとなっている。
流通規制部としては、上述した薄板部２１と同様の構成を有する破断可能な薄板部であり、連通用部材は、薄板部を破断するための部材であってもよい。また、シール部に直接もしくは間接的に取り付けられる流通規制部としては、薬剤室内から空間への流通を規制するための弁機構であり、連通用部材は、弁機構に挿通もしくは弁機構の間に挟まれることにより弁を開通するための部材であってもよい。
【００８２】
本発明の医療用容器１１０の使用方法としては、まず、図４５に示すように、連通用部材６５を薬剤容器本体部６２に対して折り曲げ、連通用部材６５を分離する。これにより、薬剤容器６３の薬剤は、第２の薬剤室４内の薬剤１２と混合される。そして、医療用容器１１０の第２の薬剤室４の腹を手、指で強く押圧して第１の薬剤室３と第２の薬剤室４を区分する仕切用シール部５を剥離させる。これにより、第２の薬剤室４から連通用部材６５を取り出すことができるとともに、第１の薬剤室４の薬剤１１と第２の薬剤１２が混合される。そして、医療用容器１１０の排出口側を上側に向けて、図４５に示すように、液面に浮遊している連通用部材６５を軟質バッグ１１１ごしに担持し、軟質バッグ１１１ごしに連通用部材６５を担持して、連通用部材６５を膜部９５に突き刺して排出用ポート８３内と薬剤室内を連通させる。そして、排出用ポート８３の排出口に排出用針を挿通して薬剤を投与する。
また、本発明の実施例である医療用容器が３室以上の薬剤室を有している場合、連通用部材は、排出用ポートが接続された薬剤室から最も多くの仕切用弱シール部を介した薬剤室に収納されていることが好ましい。以上のような構成によっても、２成分以上の薬剤を混合する前に薬剤を排出することを確実に防止できる。
【図面の簡単な説明】
【００８３】
【図１】図１は、本発明の一実施例である医療用容器の正面図である。
【図２】図２は、図１に示す医療用容器を構成する排出用ポートの断面図である。
【図３】図３は、図１に示す医療用容器を構成する排出用ポートの上面図である。
【図４】図４は、図１に示す医療用容器を構成する連通用部材の拡大図である。
【図５】図５は、図４に示す連通用部材の上面図である。
【図６】図６は、図１に示す医療用容器を構成する他の実施例である連通用部材の正面図である。
【図７】図７は、図６に示す連通用部材の上面図である。
【図８】図８は、本発明の一実施例である医療用容器の使用方法を説明するための説明図である。
【図９】図９は、本発明の医療用容器を構成する排出用ポートの他の実施例の正面図である。
【００８４】
【図１０】図１０は、図９に示す排出用ポートの断面図である。
【図１１】図１１は、図９に示す排出用ポートの上面図である。
【図１２】図１２は、図９に示す排出用ポートを用いた医療用容器の使用方法を説明するための説明図である。
【図１３】図１３は、本発明の医療用容器を構成する排出用ポートの他の実施例の正面図である。
【図１４】図１４は、図１３に示す排出用ポートの上面図である。
【図１５】図１５は、図１３に示す排出用ポートの断面図である。
【図１６】図１６は、図１３に示す排出用ポートを用いた医療用容器の使用方法を説明するための説明図である。
【図１７】図１７は、本発明の医療用容器を構成する排出用ポートの他の実施例の正面図である。
【図１８】図１８は、図１７に示す排出用ポートの断面図である。
【図１９】図１９は、図１７に示す排出用ポートの上面図である。
【００８５】
【図２０】図２０は、図１７に示す排出用ポートを用いた医療用容器の使用方法を説明するための説明図である。
【図２１】図２１は、本発明の医療用容器を構成する排出用ポートの他の実施例の正面図である。
【図２２】図２２は、図２１に示す排出用ポートの側面図である。
【図２３】図２３は、図２１に示す排出用ポートの断面図である。
【図２４】図２４は、図２１に示す排出用ポートを用いた医療用容器の使用方法を説明するための説明図である。
【図２５】図２５は、本発明の他の実施例である医療用容器の正面図である。
【図２６】図２６は、本発明の他の実施例である医療用容器の正面図である。
【図２７】図２７は、図２６に示す医療用容器を構成する排出用ポート部分の部分断面図である。
【図２８】図２８は、図２６に示す医療用容器の使用方法を説明するための説明図である。
【図２９】図２９は、本発明の他の実施例である医療用容器の正面図である。
【００８６】
【図３０】図３０は、図２９に示す医療用容器の使用方法を説明するための説明図である。
【図３１】図３１は、図２９に示す医療用容器の使用方法を説明するための説明図である。
【図３２】図３２は、本発明の他の実施例である医療用容器の正面図である。
【図３３】図３３は、図３２に示す医療用容器の使用方法を説明するための説明図である。
【図３４】図３４は、本発明の他の実施例である医療用容器の正面図である。
【図３５】図３５は、図３４に示す医療用容器のＡ−Ａ線断面図である。
【図３６】図３６は、図３４に示す医療用容器の使用方法を説明するための説明図である。
【図３７】図３７は、図３６に示す医療用容器のＢ−Ｂ線断面図である。
【図３８】図３８は、本発明の他の実施例である医療用容器の正面図である。
【図３９】図３９は、図３８に示す医療用容器を構成する流通規制部及び筒上部材の正面図である。
【００８７】
【図４０】図４０は、図３８に示す医療用容器の使用方法を説明するための説明図である。
【図４１】図４１は、本発明の他の実施例である医療用容器の正面図である。
【図４２】図４２は、本発明の他の実施例である医療用容器の正面図である。
【図４３】図４３は、図４２に示す医療用容器の使用方法を説明するための説明図である。
【図４４】図４４は、本発明の他の実施例である医療用容器の正面図である。
【図４５】図４５は、図４４に示す医療用容器の使用方法を説明するための説明図である。
【符号の説明】
【００８８】
１  医療用容器
２  軟質バッグ
３，４  薬剤室
５  仕切用シール部
６  排出用ポート
９  流通規制部
１０  連通用部材
１１，１２  薬剤
【図１】
2005245960.tif 000003
【図２】
2005245960.tif 000004
【図３】
2005245960.tif 000005
【図４】
2005245960.tif 000006
【図５】
2005245960.tif 000007
【図６】
2005245960.tif 000008
【図７】
2005245960.tif 000009
【図８】
2005245960.tif 000010
【図９】
2005245960.tif 000011
【図１０】
2005245960.tif 000012
【図１１】
2005245960.tif 000013
【図１２】
2005245960.tif 000014
【図１３】
2005245960.tif 000015
【図１４】
2005245960.tif 000016
【図１５】
2005245960.tif 000017
【図１６】
2005245960.tif 000018
【図１７】
2005245960.tif 000019
【図１８】
2005245960.tif 000020
【図１９】
2005245960.tif 000021
【図２０】
2005245960.tif 000022
【図２１】
2005245960.tif 000023
【図２２】
2005245960.tif 000024
【図２３】
2005245960.tif 000025
【図２４】
2005245960.tif 000026
【図２５】
2005245960.tif 000027
【図２６】
2005245960.tif 000028
【図２７】
2005245960.tif 000029
【図２８】
2005245960.tif 000030
【図２９】
2005245960.tif 000031
【図３０】
2005245960.tif 000032
【図３１】
2005245960.tif 000033
【図３２】
2005245960.tif 000034
【図３３】
2005245960.tif 000035
【図３４】
2005245960.tif 000036
【図３５】
2005245960.tif 000037
【図３６】
2005245960.tif 000038
【図３７】
2005245960.tif 000039
【図３８】
2005245960.tif 000040
【図３９】
2005245960.tif 000041
【図４０】
2005245960.tif 000042
【図４１】
2005245960.tif 000043
【図４２】
2005245960.tif 000044
【図４３】
2005245960.tif 000045
【図４４】
2005245960.tif 000046
【図４５】
2005245960.tif 000047